(57)【要約】  ビルディング建築表面要素は、PVパネル(1)と、PVパネル(1)から離間されたビルディング建築要素とを備え、PVパネル(1)は、PVパネル(1)の背側から離間されてその背側を向く取付板(3)と、断熱板(15)とを備える。スペーサ(9)は、PVモジュール(3)の背側と取付板(3)の上側との間に隙間を定める。ビルディング建築表面要素(10)は、ビルディング表面を仕上げるために使用される。このようなビルディング表面が、整数の数のビルディング建築表面要素(10)によって覆われない可能性があるため、PVモジュールを備えないが、より容易に仕立てることができるPVモジュールの模造が適用される代用のビルディング建築表面要素が設けられ得る。ビルディング建築表面要素を、適切に仕立てられた代用と組み合わせることで、ビルディング建築表面は完全に覆われ、それによって、一様な視覚的な外見を提供する。
2016537530.tif 000002
【特許請求の範囲】
【請求項１】
太陽光に曝される表面(So)、および、背面(Su)を持つ光起電性太陽PVパネル(1)と、
前記背面(Su)と平行であり、前記背面(Su)と取付面とに実質的にすべて沿って延びる通気隙間(7)によって前記背面(Su)から離間される取付面(Sm)、および、後面(Sr)を持つ取付板(3)と、
前記背面(Su)および前記取付面(Sm)に固定され、前記背面(Su)を前記取付面(Sm)から離間した位置に保持するスペーサ配置(9)と、
前記後面(Sr)に固定され、前記後面に実質的にすべて沿って延びる断熱板(15)と
を備えるビルディング建築表面要素。
【請求項２】
前記スペーサ配置(9)が、以下のスペーサ、すなわち、
中空または充填の材料のスタッド、
中空または充填の材料の線形または曲線の棒材、
骨組の棒材
のうちの少なくとも1つを備える、請求項1に記載のビルディング建築表面要素。
【請求項３】
前記スペーサ配置(9)が、前記取付板(3)の輪郭区域、および、別体の要素の輪郭区域のうちの少なくとも一方である、請求項2に記載のビルディング建築表面要素。
【請求項４】
前記PVパネル(1)が前記スペーサ配置(9)に接着される、請求項1から3のいずれか一項に記載のビルディング建築表面要素。
【請求項５】
前記取付板(3)が、金属またはプラスチック材料のものであり、好ましくはアルミニウムのものである、請求項1から4のいずれか一項に記載のビルディング建築表面要素。
【請求項６】
前記取付板(3)および/または前記PVパネルの周囲の少なくとも一部に沿って封止するように取り付けられ、幅を有し、その幅の範囲の一部で、前記取付板(3)および/または前記PVパネルの境界を超えて自由に突出するように、前記取付板(3)および/または前記PVパネルに取り付けられる、防水性で好ましくは可撓性の材料の少なくとも1つの膜の帯片(21)を備える、請求項1から5のいずれか一項に記載のビルディング建築表面要素。
【請求項７】
前記PVパネル(1)の少なくとも一方の周囲の少なくとも一部に沿って、太陽光に曝される前記表面および前記背面の少なくとも一方に沿って、好ましくは前記背面に沿って、および、前記取付板(3)に沿って延びる少なくとも1つの拡張封止部材(52)を備える、請求項1から6のいずれか一項に記載のビルディング建築表面要素。
【請求項８】
前記断熱板(15)に沿って前記取付板(3)に向かい合って、さらなる取付板(17)をさらに備える、請求項1から7のいずれか一項に記載のビルディング建築表面要素。
【請求項９】
前記さらなる取付板(17)が、プラスチック材料または金属のものであり、好ましくはアルミニウムのものである、請求項8に記載のビルディング建築表面要素。
【請求項１０】
前記断熱板(15)が、前記取付板(3)および前記さらなる取付板(17)に取り付けられた結合棒材(19)を用いて、前記取付板(3)と前記さらなる取付板(17)との間で押し潰され、前記結合棒材(19)の長さ範囲の少なくとも一部が、非熱伝導性の材料のものであり、好ましくはプラスチック材料のものである、請求項8に記載のビルディング建築表面要素。
【請求項１１】
前記断熱板(15)が前記取付板(3)に接着される、請求項1から10のいずれか一項に記載のビルディング建築表面要素。
【請求項１２】
前記さらなる取付板(17)が前記断熱板(15)に接着される、請求項8から11のいずれか一項に記載のビルディング建築表面要素。
【請求項１３】
前記断熱板(15)が、ロックウールの板状層のものである、または、ロックウールの板状層を備える、請求項1から12のいずれか一項に記載のビルディング建築表面要素。
【請求項１４】
前記ビルディング建築表面要素(10a、10b)が、並んで取り付けられ、間隙(32)によって互いと離れており、前記ビルディング建築表面要素のうちの少なくとも1つの防水性の材料の前記少なくとも1つの膜の帯片(21)が、前記間隙(32)の少なくとも一部を架け渡す、請求項1から13のいずれか一項に記載のビルディング建築表面要素を少なくとも2つ備え、それらビルディング建築表面要素のうちの少なくとも1つは請求項6に記載されるものである、ビルディング建築。
【請求項１５】
各々が最も外側のPVパネルを持ち、好ましくは請求項1から13のいずれか一項による少なくとも2つのビルディング建築表面要素(10a、10b)を備え、前記少なくとも2つのビルディング建築表面要素が、並んで取り付けられ、間隙(32)によって互いと離れており、前記PVパネル(1)および前記取付板(3)のうちの少なくとも一方の縁に沿って前記間隙(32)を架け渡す機械的に付勢された封止配置(50、52、54)を備え、好ましくは、前記ビルディング建築表面要素のうちの少なくとも1つが、請求項6によって建築され、好ましくは、前記ビルディング建築表面要素のうちの少なくとも1つの防水性材料の少なくとも1つの膜の帯片(21)が、前記間隙(32)の少なくとも一部を架け渡す、ビルディング建築。
【請求項１６】
前記PVパネル(1)の縁に沿って前記間隙(32)を架け渡す機械的に付勢された封止配置(50、52、54)を備える、請求項14または15に記載のビルディング建築。
【請求項１７】
前記機械的に付勢された封止配置が、前記間隙を架け渡す少なくとも1つの細長い架橋板配置を備え、前記ビルディング建築表面要素のうちの1つの前記PVパネルにその背面に沿って重なり合う第1の拡張縁部を備え、前記第1の拡張縁部と実質的に平行に延び、前記少なくとも2つのビルディング建築表面要素のうちの第2のものの前記PVパネルに、その太陽光に曝される表面に沿って重なり合う第2の拡張縁部を備える、請求項16に記載のビルディング建築。
【請求項１８】
太陽光に曝される前記表面と前記背面とが、平面に沿って延び、好ましくは平行な平面に沿って延び、前記平面が、1つの共通の平面、離間された平面同士、または、交差する平面同士である、請求項17に記載のビルディング建築。
【請求項１９】
前記第1の拡張縁部が、前記背面に向かって付勢される第1の拡張封止部材を備える、および/または、前記第2の拡張縁部が、太陽光に曝される前記表面、および、前記背面の一方に向かって付勢される第2の拡張封止部材を備える、請求項17または18に記載のビルディング建築。
【請求項２０】
前記第1の拡張縁部および前記第2の拡張縁部が板部材の一部である、請求項17から19のいずれか一項に記載のビルディング建築。
【請求項２１】
前記第1の拡張縁部および前記第2の拡張縁部が拡張中心部によってつながれており、前記細長い架橋板配置が、前記中心部に取り付けられ、前記第1の拡張縁部の反対で太陽光に曝される前記表面に重なり合う手法で適用可能な付勢部材、および、前記中心部に取り付けられ、前記第2の拡張縁部の反対で前記背面に重なり合う手法で適用可能な付勢部材の少なくとも一方を備える、請求項17から20のいずれか一項に記載のビルディング建築。
【請求項２２】
前記少なくとも1つの付勢部材が、重なり合う手法で適用される面に実質的に垂直な軸の周りに枢動可能であるように、前記拡張中心部に枢動可能に取り付けられる、請求項21に記載のビルディング建築。
【請求項２３】
前記少なくとも2つのビルディング建築表面要素の前記PVパネルが、鉛直に対して傾斜された配向で位置決めされ、前記細長い架橋板配置が実質的に水平な配向で延びており、前記第1の拡張縁部が前記第2の拡張縁部より高い位置決め高さに配置される、請求項17から22のいずれか一項に記載のビルディング建築。
【請求項２４】
少なくとも4つの前記ビルディング建築表面要素を備え、前記ビルディング建築表面要素が、斜めに並んで取り付けられ、2つの交差する間隙によって互いと離れており、前記機械的に付勢された封止配置が、前記交差する間隙のうちの一方を架け渡し、前記2つの交差する間隙のうちの第2の方を架け渡す、前記機械的に付勢された封止配置の少なくとも端部の下方で延び、前記少なくとも端部において重なり合う手法で交差し、前記2つの間隙の交差によって定められる間隙領域を架け渡す拡張水回収通路を備えるさらなる機械的に付勢された封止配置を備える、請求項17から23のいずれか一項に記載のビルディング建築。
【請求項２５】
前記さらなる機械的に付勢された封止配置が、前記水回収通路に沿って延び、前記水回収通路を覆い、前記機械的に付勢された封止配置の少なくとも端部において重なり合う手法で交差し、前記間隙領域を架け渡す拡張カバー板構成を備え、前記カバー板構成が、前記水回収通路に好ましくは取り付けられる、請求項24に記載のビルディング建築。
【請求項２６】
前記ビルディング建築表面要素(10a、10b)の両方が請求項6によって建築され、防水性材料の前記帯片(21)が、前記取付板同士もしくは前記PVパネル同士の間の前記間隙(32)を共同して架け渡すこと、または、前記ビルディング建築表面要素の一方が請求項6によって建築され、前記1つの帯片(21)が、前記取付板同士もしくは前記PVパネル同士の間の前記間隙(32)を架け渡すことのいずれかである、請求項14から25のいずれか一項に記載のビルディング建築。
【請求項２７】
前記機械的に付勢された封止配置が、
前記間隙(32)に沿って延び、前記背面と太陽光に曝される前記表面との一方に沿う前記PVパネル(1)の縁、および/または、前記取付板の縁に重なり合う少なくとも1つの細長い架橋板(50)と、
前記間隙(32)にすべて沿って、前記架橋板(50)と、前記PVパネルの前記背面、または、太陽光に曝される前記表面、および/または、前記取付板の面のうちの1つとの間で延びる少なくとも一対の細長い封止部材(52)と
を備え、
前記細長い封止部材(52)の各々が、別々に適用される部材と、前記細長い架橋板(50)に固定される部材と、前記背面および太陽光に曝される前記表面の一方、前記取付板の前記取付面、前記取付板の前記後面に固定され、好ましくは接着される部材とのうちの1つであり、
前記間隙(32)を架橋し、前記細長い封止部材を持つ前記面と向かい合う面と重なり合う少なくとも1つの付勢部材(54)をさらに備え、
前記細長い架橋板(50)および前記少なくとも1つの付勢部材(54)が、好ましくはネジ棒材である引っ張り棒材(56)に好ましくはよって、互いに付勢される、請求項15から26のいずれか一項に記載のビルディング建築。
【請求項２８】
前記付勢部材(54)が、前記間隙(32)に沿って延びるさらなる細長い架橋板である、請求項27に記載のビルディング建築。
【請求項２９】
前記さらなる細長い架橋板と、前記PVパネルおよび/または前記取付板のそれぞれの面との間に、前記細長い封止部材の少なくとも1つのさらなる対を備える、請求項28に記載のビルディング建築。
【請求項３０】
前記間隙(32)に沿って分配され、好ましくはゴム弾性部材を介して、前記PVパネル(1)および/または前記取付板と向かい合う前記面に位置する少なくとも2つの付勢板(54)を備える、請求項27に記載のビルディング建築。
【請求項３１】
前記少なくとも1つの細長い架橋板(50)が、前記PVパネル(1)の前記背面に重なり合う、請求項27から30のいずれか一項に記載のビルディング建築。
【請求項３２】
少なくとも4つの前記ビルディング建築表面要素(10a、10b、10c、10d)をさらに備え、前記少なくとも4つのビルディング建築表面要素が、並んで取り付けられ、間隙(32)の交差によって互いと離れており、前記機械的に付勢された封止配置(50、52、54)のうちの1つが、前記交差の前記間隙(32)の各々を架け渡し、前記交差の中心領域(60)に隣接して途切れ、前記機械的に付勢された封止配置(50、52、54)と前記中心領域(60)の境界となる前記ビルディング建築表面要素の4つの角とを封止するように相互連結する交差中心の好ましくは機械的に付勢された封止配置(62)をさらに備える、請求項15、27から31のいずれか一項に記載のビルディング建築。
【請求項３３】
少なくとも4つの前記ビルディング建築表面要素をさらに備え、前記少なくとも4つのビルディング建築表面要素が、並んで取り付けられ、間隙(32)の交差によって互いと離れており、前記細長い架橋板(50)のうちの1つが、それぞれのPVパネル(1)および/または取付板の縁に沿って前記交差の前記間隙(32)の各々を架け渡し、前記交差の中心領域(60)に隣接して途切れ、
前記4つのビルディング建築表面要素の4つの近隣する角に重なり合う少なくとも1つの交差中心カバー板(64)を備える交差中心封止配置(62)と、
前記交差中心カバー板(64)の周囲に沿い、前記交差中心カバー板(64)と、前記4つの近隣する角と、前記4つの細長い架橋板(50)の端との間にある封止部材ループ(66)と、
前記交差の前記中心領域(60)を架け渡し、前記4つの角のうちの少なくとも1つ、および、前記4つの細長い架橋板(50)のうちの少なくとも1つと重なり合う付勢交差中心部材であって、前記付勢交差中心部材と前記交差中心カバー板(64)とが、好ましくはネジ棒材である少なくとも1つの引っ張り棒材によって互いに付勢される、付勢交差中心部材と
をさらに備える、請求項27から31のいずれか一項に記載のビルディング建築。
【請求項３４】
前記機械的に付勢された封止配置と前記さらなる機械的に付勢された封止配置とが、設けられている場合、避雷システムの一部である、請求項15から33のいずれか一項に記載のビルディング建築。
【請求項３５】
ビルディング建築表面配置の周囲に曝される第1の面を各々有し、それぞれが太陽エネルギー変換装置モジュールの面である第1のビルディング建築表面要素と、
前記周囲に曝される第2の面を有する少なくとも1つの第2のビルディング建築表面要素と
を備え、
前記第2の面が太陽エネルギー変換装置モジュールの面ではなく、
前記第2の面が、前記第1の面の外観と実質的に等しい外観を提供すると考えられるビルディング建築表面配置。
【請求項３６】
前記少なくとも1つの第2のビルディング建築表面要素の形が、個別に順応して仕立てられる、請求項35に記載のビルディング建築表面配置。
【請求項３７】
前記第1のビルディング建築表面要素ならびに前記第2のビルディング建築表面要素がビルディング建築要素を備える、請求項35または36に記載のビルディング建築表面配置。
【請求項３８】
前記太陽エネルギー変換装置モジュールがPVモジュールである、請求項35から37のいずれか一項に記載のビルディング建築表面配置。
【請求項３９】
前記第2の面が、好ましくはアルミニウムを含む金属板の表面である、請求項35から38のいずれか一項に記載のビルディング建築表面配置。
【請求項４０】
前記第1のビルディング建築表面要素が、請求項1から13のいずれか一項に記載のビルディング建築表面要素を少なくとも備える、請求項35から39のいずれか一項に記載のビルディング建築表面配置。
【請求項４１】
請求項14から34のいずれか一項に記載のビルディング建築を備える、請求項40に記載のビルディング建築表面配置。
【請求項４２】
ビルディング建築表面領域に沿ってビルディング建築表面配置を製造する方法であって、
支持構造を提供するステップと、
太陽エネルギーが由来する大気に曝された第1の面を有する太陽エネルギー変換装置モジュールを各々備える多数の第1のビルディング建築表面要素を、前記支持構造に、少なくとも1つの表面領域に沿って取り付けるステップと、
太陽エネルギーが由来する大気に曝された第2の面であって、前記第1の面の外観と実質的に等しい外観を有する第2の面を有する、太陽エネルギー変換装置のない少なくとも1つの第2のビルディング建築表面要素により、前記第2のビルディング建築要素の形を好ましくは前記製造の場所に適応することで、前記少なくとも1つの表面領域を補完するステップと
を含む方法。
【請求項４３】
前記ビルディング建築表面要素の少なくとも一部が、請求項1から13のいずれか一項に記載のビルディング建築表面要素である、請求項42に記載の方法。
【請求項４４】
請求項14から34のいずれか一項に記載のビルディング建築を、少なくとも前記ビルディング建築構成の一部として提供するステップを含む、請求項42または43に記載の方法。
【発明の詳細な説明】
【技術分野】
【０００１】
本明細書で対処される発明は、第1の態様の下で、ビルディング建築表面要素ならびにビルディング建築に言及する。本発明は、第2の態様の下で、ビルディング建築表面配置およびこのような配置を製造する方法に対処する。
【０００２】
定義
-  本開示および特許請求の範囲の文脈における用語「ビルディング建築」は、地下または高所の建設工学、すなわち、太陽光に曝される表面を有するビルディング建築に対処する。
-  本開示および特許請求の範囲の文脈における用語「ビルディング建築表面要素」は、ビルディング建築の太陽光に曝される表面の建築を仕上げるために適用される要素に対処する。対処される表面要素は、必然的に平面であり、太陽光に曝される前面、および、残りのビルディング建築の方を向くように取り付けられる後面を持つ板形状である。このようなビルディング建築表面要素の厚さは、ほとんどの場合で、このような要素の長さより小さく、幅より小さい。実質的に板形状のビルディング建築表面要素の縁は、ほとんどは対で平行になっており、したがって、板形状の要素は、ほとんどは矩形または正方形の設計である。
-  用語「光起電性太陽パネル」または「PVパネル」は、例えば、バルク結晶Si、薄膜技術、可撓性モジュール技術、太陽光発電および太陽光温度変換の有機的なものまたはハイブリッドといったもので実現される太陽光変換技術と関係のない太陽電池の必然的に平坦な平面配置に対処する。光起電性太陽パネルは、太陽光に曝される表面、および、背面を有している。
-  用語「太陽エネルギー変換装置」は、太陽エネルギーを異なる種類のエネルギーへと変換する変換装置に対処している。したがって、PV変換装置は、ある種の太陽エネルギー変換装置であり、別の種類は、太陽エネルギーから熱エネルギーへの変換装置である。
-  用語「ビルディング建築要素」は、機械的な安定性、断熱性、防水性などに本質的に関するように、ビルディング建築のための要件に関して、表面に沿ってビルディング建築の仕上げを提供する「ビルディング建築表面要素」の一部に対処する。
【背景技術】
【０００３】
日射変換装置を組み込んでいるビルディング建築表面要素、ならびにビルディング建築要素は、例えば特許文献1から知られている。
【先行技術文献】
【特許文献】
【０００４】
【特許文献１】国際公開第2013/092682号パンフレット
【発明の概要】
【課題を解決するための手段】
【０００５】
発明の第1の態様
特には光起電性太陽パネルが装備されているとき、このようなビルディング建築表面要素を改善することが、本発明の第1の態様における目的である。
【０００６】
この目的は、太陽光に曝される表面、および、背面を持つ光起電性太陽パネルを備えるビルディング建築表面要素によって解決される。対処されるビルディング建築表面要素は、さらに、背面と平行であり、光起電性太陽パネルの背面と対処される取付面とに実質的にすべて沿って延びる通気隙間によって光起電性太陽パネルの背面から離間される取付面を持つ取付板を備える。取付板は後面をさらに有する。一方で光起電性太陽パネルの背面に固定され、他方で取付面に固定され、取付面に対して離間された位置に背面を保持するスペーサ配置がさらに設けられる。取付板の後面に固定され、後面に実質的にすべて沿って延びる断熱板がさらに設けられる。
【０００７】
取付板は、PV太陽光パネルに関して、正確で安定した取り付けの傍ら、全体のビルディング建築表面要素の機械的な安定性および気密性も提供し、したがって、ビルディング建築を仕上げるためにビルディング建築表面要素が適用される残りのビルディング建築に関しても同様である点において、第1のビルディング建築要素として作用する。
【０００８】
断熱板も同様に、特に、断熱板が一部となっているビルディング建築に有効であるビルディング建築要素のこのような断熱板によって提供される断熱性に関して、ビルディング建築要素として作用する。断熱板は、断熱性を提供することに加えて、蓄熱要素として、および/または、遮音要素として作用でき、単一の材料板によって、または、合成のサンドイッチ構造の板によって実現され得る。
【０００９】
さらに、後で例示されるように、スペーサ配置も、ビルディング建築表面要素の機械的な安定性に大いに寄与でき、したがって、このような表面要素が一部となっているビルディング建築の表面に寄与する。
【００１０】
ビルディング建築表面要素の対処される部品は、このような表面要素が残りのビルディング建築に取り付けられる単一の部品となるように、一緒に固定される。
【００１１】
矛盾していない場合、さらに対処される実施形態のいずれかと組み合わせられ得る、本発明によるビルディング建築表面要素の一実施形態では、スペーサ配置は、以下のスペーサのうちの少なくとも1つを備える。
-  中空または充填の材料のスタッド。
-  中空または充填の材料の線形または曲線の棒材。
-  木骨または骨組の棒材。
【００１２】
スペーサのこれらの異なる実現形態は、組み合わされてもよい。特に、対処されるスペーサが、骨組棒材によって形成される、または、骨組棒材を備える場合、ビルディング建築表面要素の全体の機械的な安定性が大幅に改善される。PVパネルの背面と取付板の取付面との間で分配される空間の量に依存して、PVパネルの曲げ応力は、時間厳守の負荷に対して大幅に低減され得る。これは、スペーサが、対処される骨組の棒材を備える、または、対処される骨組の棒材によって形成される場合、このような棒材は、一方で非常に拡張した面に沿って正確な機械的支持を確立するが、PVパネルの背面と取付板の取付面との間に通気隙間を広く開けて維持するため、特に真実である。
【００１３】
矛盾していない場合、先に対処された実施形態のいずれかと、および、さらに対処される実施形態のいずれかと組み合わせられ得る、本発明によるビルディング建築表面要素の一実施形態では、スペーサは、取付板の輪郭区域、および、別体の要素の輪郭区域のうちの少なくとも一方である。取付板が、金属、プラスチック材料、現在好まれるアルミニウム、さらには、形成され得るサンドイッチ材料の一実施形態であるとき、スペーサは、取付板へと、例えば、プレス、鋳造、または成形など、輪郭形成され得る。他方では、スペーサは、例えばはんだ付け、ネジ留め、接着などによって、取付板に固定される別体の要素として設けられてもよい。取付板へと成形されたスペーサを、別体の要素として設けられたスペーサと、および/または、異なるように成形されたスペーサと組み合わせることは、間違いなく可能である。優れた実施形態では、取付板は、アルミニウム板によって現在は実現される。
【００１４】
矛盾していない場合、先に対処された実施形態およびさらに対処される実施形態のいずれかと組み合わせられ得る、本発明によるビルディング建築表面要素の一実施形態では、光起電性太陽パネルはスペーサ配置に接着される。
【００１５】
矛盾していない場合、先に対処された実施形態およびさらに対処される実施形態のいずれかと組み合わせられ得る、本発明によるビルディング建築表面要素の一実施形態では、対処される表面要素は、取付板および/またはPVパネルの周囲の少なくとも一部に沿って、例えば接着されるといった、封止するように取り付けられ、幅を有し、その幅の範囲の一部で、取付板および/またはPVパネルの縁を超えて自由に突出するように、取付板および/またはPVパネルに取り付けられる、防水性で好ましくは可撓性の材料の少なくとも1つの膜の帯片または条片を備える。したがって、優れた実施形態では、このような膜の帯片が、取付板の長さの縁に沿って、ならびに幅の縁に沿って接着されるか、PVパネルのそれぞれの縁に沿って接着されるか、または、このような帯片が取付板およびPVパネルの両方の縁に1つずつ接着される。追加的なビルディング建築表面要素が、ビルディング建築の表面を仕上げるために設けられるとき、対処される防水性の帯片は、提供される優れた実施形態では、取付板および/またはPVパネルの長さの縁および幅の縁に沿ってL字形で対処されており、防水性の手法で、隣接するビルディング建築表面要素同士の間の間隙を架け渡すことができる。明らかなことには、あるビルディング建築表面要素のこのような帯片は、対処された間隙を防水性の手法で架け渡すために本質的に利用され得るか、または代替で、隣接または近接するビルディング建築表面要素の取付板および/またはPVパネルに適用される2つの帯片が、このような近接するビルディング建築表面要素同士の間の中間間隙を共通して架け渡すために、組合せで用いられ得る。防水性の帯片が太陽光に曝される場合、その材料は紫外線対抗性のものであるべきである。
【００１６】
矛盾していない場合、先に対処された実施形態およびさらに対処される実施形態のいずれかと組み合わせられ得る、ビルディング建築表面要素の一実施形態では、PVパネルの周囲の少なくとも一部に沿って、太陽光に曝される表面および背面の少なくとも一方に沿って、好ましくは背面に沿って、および/または、取付板の周囲の少なくとも一部に沿って延びる少なくとも1つの拡張封止部材が設けられる。したがって、例えば、PVパネルおよび/または取付板の長さの縁および/または幅の縁の一方または両方に沿って、近接するビルディング建築表面要素同士の間の隙間または間隙に沿って防水性を確立するために、ビルディング建築表面要素を残りのビルディング建築に取り付けるときに利用される、例えばゴム弾性材料の条片に成形されたシールが、例えば接着などで設けられてもよい。PVパネルおよび/または取付板にこのような細長い拡張封止部材を提供することは、複数のビルディング建築表面要素の間の適切な封止を大幅に容易にできる。優れた実施形態では、このような細長いまたは拡張した封止部材は、表面要素が残りのビルディング建築にひとたび取り付けられたときに紫外線放射への曝露を低減するために、PVパネルの背面に、または、取付板の後側に、例えば接着などで適用される。
【００１７】
矛盾していない場合、先に対処された実施形態およびさらに対処される実施形態のいずれかと組み合わせられ得る、本発明によるビルディング建築表面要素の一実施形態では、断熱板は、以下の材料のうちの1つ以上のものである。
ポリウレタン、PUR。
ポリイソシアヌレート、PIR。
ポリエチレンテレフタレート、PET。
ロックウール。
膨張パーライト。
木質繊維。
絶縁塗料。
【００１８】
矛盾していない場合、先に対処された実施形態およびさらに対処される実施形態のいずれかと組み合わせられ得る、ビルディング建築表面要素の一実施形態では、断熱板に沿って取付板に向かい合って、さらなる取付板が設けられる。取付板と同様に、さらなる取付板は、金属またはプラスチック材料のものであり得る。現在実現されているような優れた実施形態では、アルミニウムのものである。
【００１９】
このようなさらなる取付板を提供することは、必ずしも必要ではない可能性があるが、特にはロックウールとしての、断熱板を実現するための優れた材料の一部は、断熱板を、向かい合う板同士、取付板とさらなる取付板の間でしっかりと保持することを必要とする。取付板および/またはさらなる取付板は、合成のサンドイッチ構造の板として建築されてもよい。
【００２０】
正に対処されている実施形態、つまり、さらなる取付板を持つ実施形態の一実施形態では、断熱板が、一方で取付板に、他方でさらなる取付板に取り付けられた結合棒材を用いて、取付板とさらなる取付板との間で押し潰される。その長さ範囲に沿って、このような結合棒材の少なくとも一部は、非熱伝導性の材料のものであり、優れた実施形態では、プラスチック材料のものである。非熱伝導性の材料によって結合棒材の対処される部分を実現することで、断熱板の断熱効果を悪化させることになる取付板とさらなる取付板との間の熱的な架け渡し確立することを回避する。
【００２１】
さらなる取付板が設けられている、本発明によるビルディング建築表面要素の実施形態のうちの一実施形態では、対処されるさらなる取付板は断熱板に接着される。
【００２２】
矛盾していない場合、先に対処された実施形態およびさらに対処される実施形態のいずれかと組み合わせられ得る、本発明によるビルディング建築表面要素の一実施形態では、断熱板は取付板に接着される。
【００２３】
矛盾していない場合、先に対処された実施形態およびさらに対処される実施形態のいずれかと組み合わせられ得る、本発明によるビルディング建築表面要素の一実施形態では、断熱板は、ロックウールの板状層のものである、または、ロックウールの板状層を備える。
【００２４】
上記で対処されているように、本発明は、ビルディング建築にさらに向けられている。本発明によれば、このようなビルディング建築は、上記で対処されたようなビルディング建築表面要素を少なくとも2つ備える。このようなビルディング建築要素は、同等あっても同等でなくてもよく、本発明によって、または、上記で対処された本発明の実施形態のうちの1つ以上および実施形態の組合せによって、建築される。対処される表面要素のうちの少なくとも1つは、取付板およびPVパネルの少なくとも一方に沿って、長さ方向および/または幅方向に延びる少なくとも1つの縁に封止するように取り付けられる、防水性で好ましくは可撓性の材料の膜の帯片または条片を備える。対処されるビルディング建築表面要素は、並んで取り付けられ、間隙によって互いと離れている。ビルディング建築表面要素のうちの少なくとも1つの防水性材料の膜の帯片は、間隙の少なくとも一部を封止するように架け渡る。したがって、ビルディング建築表面要素のうちから、1つだけが防水性の帯片であらかじめ組み立てられる場合、間隙は、この1つの防水性の帯片によって架け渡され、防水性の帯片を有していない第2の表面要素の取付板および/またはPVパネルの平行な縁に、例えば接着などで、封止するように固定される。
【００２５】
したがって、このようなビルディング建築では、隣接するビルディング建築表面要素同士の間の間隙は、対処されるビルディング建築表面要素のうちの1つの取付板の縁から他のビルディング建築表面要素の取付板の縁へと封止するように延びる膜の帯片によって防水性の手法で架け渡されるか、または、間隙は、隣接するビルディング建築表面要素のうちの一方のPVパネルの縁からビルディング建築表面要素の他方のPVパネルの縁への膜の帯片によって封止するように架け渡されるかのいずれかである。一方において隣接するPVパネルの縁同士の間で、他方において隣接する取付板の縁同士の間で、対処される膜の帯片によって間隙を二重に架け渡すことは、さらに可能であり得る。
【００２６】
隣接するビルディング建築表面要素の両方が、対処される防水性の膜の帯片を伴い、間隙によって離されて、取付板および/またはPVパネルのそれらの平行な縁に沿って設けられる場合、間隙は、組み合わせた両方の対処される耐水性の帯片によってそれぞれ架け渡される。1つ以上の耐水性の帯片を間隙にわたって気密に広げることは、必要ではない可能性もあるが、水の除去に向けて窪んだ通路を形成するために、緩やかに1つまたは2つの耐水性の帯片によって間隙を封止するように架け渡すことは、さらに有利であり得る。
【００２７】
それにより、膜の帯片は、より硬い材料の膜の帯片が、隣接するビルディング建築表面要素の隣接する取付板またはPVパネルの縁と接触するように枢動されるか置かれ、例えば封止する接着によって、その縁に固定されてもよいように、例えば取付板またはPVモジュールの縁に封止しつつおそらくは枢動可能に取り付けられる、実質的に硬い材料のものでおそらくあり得る。現在の好ましい実現の形態では、対処される1つまたは複数の膜の帯片は、可撓性の箔として実現される。
【００２８】
PVモジュールならびに取付板は、それぞれの膜の帯片によって架け渡される場合、取付板の取付面または後面の一方に沿う層、または、PVモジュールの背側または両側の全面に沿う層によって、それぞれの縁に重なり合う対処される膜の帯片を実現することは、さらに可能であり得るし、場合によって有利であり得る。
【００２９】
第1の態様の下での本発明の一態様の下で、本発明の最も一般的な態様の下で、または、対処される本発明の実施形態の1つ以上によって、上記で対処されたようなビルディング建築表面要素を少なくとも2つ備える本発明によるビルディング建築では、少なくとも2つのビルディング建築表面要素は、並んで取り付けられ、間隙によって互いと離れている。このビルディング建築は、PVパネルおよび取付板のうちの少なくとも一方の縁に沿って間隙を架け渡す機械的に付勢された封止配置を備える。このビルディング建築では、近接するビルディング建築表面要素は、それらのそれぞれのPVパネルの間にPVパネルに沿って、細長い間隙を架け渡す機械的に付勢された封止配置を提供することで、封止するように組み合わされる。
【００３０】
それにもかかわらず、後でも例示されるように、上記で対処されたような防水性の材料の膜の帯片または条片を用いて、および追加的に、対処される間隙を架け渡す機械的に付勢された封止配置を用いて、対処される間隙を封止するように閉じることを組み合わせることは、間違いなく可能である。したがって、機械的に付勢された封止配置を提供する正に対処されている実施形態の一実施形態では、ビルディング建築表面要素のうちの少なくとも1つは、取付板および/またはPVパネルの周囲の少なくとも一部に沿って、例えば接着されるといった、封止するように取り付けられ、幅を有し、その幅の範囲の一部で、取付板および/またはPVパネルの縁を超えて自由に突出するように、取付板および/またはPVパネルに取り付けられる、防水性で好ましくは可撓性の材料の少なくとも1つの膜の帯片または条片で建築され、それによって、防水性の材料の対処される膜の帯片を、間隙の少なくとも一部を架け渡すために、機械的に付勢された封止配置に追加的に利用する。
【００３１】
したがって、何とかまとめると、少なくとも2つの近接するビルディング建築表面要素を持つ本発明によるビルディング建築では、対処される表面要素同士の間の間隙は、例えば以下の変形のうちの1つで、防水性の手法で架け渡される。
a)1つの防水性の膜の帯片が、2つの近接する取付板の平行な縁同士の間の間隙を架け渡す。
b)組み合わせた2つの膜の帯片が、2つの隣接する取付板の平行な縁同士を架け渡す。
c)1つの膜の帯片が、隣接する表面要素のPVパネルの平行な縁同士を架け渡す。
d)組合せでの2つの膜の帯片が、隣接する表面要素のPVパネルの平行な縁同士を架け渡す。
e)変形a)またはb)と変形c)またはd)の一方との組合せ。
【００３２】
本発明者らは、機械的に付勢された封止配置を提供することに対処してきた。変形a)〜e)は、本質的に、それぞれの平行な縁に接着するなどの化学的な固定のため、防水性の障壁を形成する膜の帯片を提供することに、基づいている。本発明者らは、「機械的に付勢された封止配置」について述べるとき、圧縮力によってゴムのような材料などの封止部材を圧縮することで封止が得られる配置と理解している。
【００３３】
このような機械的に付勢された封止配置に対処するとき、このような配置は、以下のような異なる変形で設けられ得る。
A)機械的に付勢された封止配置が、隣接するビルディング建築表面要素のPVパネル同士を架け渡す。
B)機械的に付勢された封止配置が、隣接するビルディング建築表面要素の取付板の平行な縁同士を架け渡す。
C)機械的に付勢された封止配置が、隣接するビルディング建築表面要素のPVパネルの平行な縁同士ならびに取付板の平行な縁同士を架け渡す。
【００３４】
組合せでは、対処される間隙の防水性の架け渡しを確立するさらなる変形は、例えば、次のとおりである。
a)またはb)とA)との組合せ。
c)またはd)とB)との組合せ。
現在好まれるのは、a)またはb)とA)との組合せである。
【００３５】
ビルディング建築表面要素のうちの少なくとも1つの防水性で好ましくは可撓性で箔状の材料の膜の帯片が感激の少なくとも一部を封止するように架け渡すビルディング建築の一実施形態では、光起電性太陽パネルの平行な縁にすべて沿う間隙を架け渡す機械的に付勢された封止配置が追加的に設けられる。
【００３６】
矛盾していない場合、いずれかの先に対処された実施形態および対処されるこのようなビルディング建築の実施形態と組み合わせられ得る、本発明によるビルディング建築の正に対処されている実施形態のうちの一実施形態では、機械的に付勢された封止配置は、少なくとも1つの細長い架橋板配置を備える。細長い架橋板配置は、間隙を架け渡し、ビルディング建築表面要素のうちの1つのPVパネルにその背面に沿って重なり合う第1の拡張縁部を備える。細長い架橋板配置は、第1の拡張縁部と実質的に平行に延びる第2の拡張縁部を備え、それによって、対処される第2の縁部は、少なくとも2つのビルディング建築表面要素のうちの第2のもののPVパネルに、その太陽光に曝される表面に沿って重なり合う。
【００３７】
したがって、対処される細長い架橋板配置は、PVパネルの背側における間隙を定めるビルディング建築表面要素のうちの1つのPVパネルと重なり合い、対処される細長い架橋板配置は、間隙を定める第2のビルディング建築表面要素のPVパネルの第2のものと、その上方側において、つまり、太陽光に曝される側または表面において、重なり合う。したがって、対処される細長い架橋板配置によって、2つのビルディング建築表面要素は、瓦状に重なる手法で結合される。
【００３８】
ビルディング建築の対処される実施形態の一実施形態では、それぞれ対処されるPVパネルの太陽光に曝される表面および背面は、好ましくは実質的に平行である平面に沿って延びる。それによって、これらの平面は、共通の平面を形成できる。この場合では、太陽光に曝される対処される表面および対処される背面は、1つの共通の平面に配置される。代替で、それら対処される平面は、互いに離間されてもよく、または、交差してもよい。
【００３９】
したがって、細長い架橋板配置は、対処される背面ならびに太陽光に曝される表面に重なり合うような輪郭とされる。
【００４０】
矛盾していない場合、先に対処されたこのようなビルディング建築のいずれかの実施形態と共に、さらに対処されるこのようなビルディング建築のいずれかの実施形態と組み合わせられ得る、瓦状に重なる細長い架橋板配置を持つビルディング建築の一実施形態では、定義されたように、それぞれのPVパネルにその背面に沿って重なり合う第1の拡張縁部は、背面に向かって付勢される第1の拡張封止部材を備える。追加または代替で、定義されたように、それぞれのPVパネルの太陽光に曝される表面に重なり合う第2の拡張縁部は、太陽光に曝される表面とそれぞれのPVパネルの背面との一方に向かって付勢される第2の拡張封止部材を備える。
【００４１】
矛盾していない場合、このようなビルディング建築の先に対処された実施形態のいずれかと共に、さらに対処されるこのようなビルディング建築のいずれかの実施形態と組み合わせられ得る、瓦状に重なる細長い架橋板配置を備える種類のビルディング建築のさらなる一実施形態では、第1の拡張縁部および第2の拡張縁部が板部材の縁部である。
【００４２】
矛盾していない場合、このようなビルディング建築のいずれかの先に対処された実施形態と共に、さらに対処されるこのようなビルディング建築のいずれかの実施形態と組み合わせられ得る、瓦状に重なる細長い架橋板配置を備える種類のビルディング建築の一実施形態は、第1の拡張縁部および前記第2の拡張縁部が拡張中心部によってつながれる。細長い架橋板配置は、中心部に取り付けられ、第1の拡張縁部の反対で太陽光に曝される表面に重なり合う手法で適用可能な付勢部材、および、中心部に取り付けられ、第2の拡張縁部の反対で背面に重なり合う手法で適用可能な付勢部材の少なくとも一方を備える。
【００４３】
したがって、対処される付勢部材によって、拡張縁部のうちの少なくとも1つは、PVモジュールのそれぞれの面、背面、または、光に曝される表面に向かって付勢される。それによって、それぞれのPVパネルに対するそれぞれの縁部の封止係合が確立される。
【００４４】
ビルディング建築の正に対処されている実施形態の実施形態では、少なくとも1つの付勢部材が、対処される付勢部材が重なり合う手法で適用されるPVパネルの面に実質的に垂直である軸の周りに枢動可能であるように、拡張中心部に枢動可能に取り付けられる。
【００４５】
矛盾していない場合、このようなビルディング建築のいずれかの先に対処された実施形態と共に、さらに対処されるこのようなビルディング建築のいずれかの実施形態と組み合わせられ得る、瓦状に重なる細長い架橋板配置を備える種類のビルディング建築のさらなる実施形態では、少なくとも2つのビルディング建築表面要素のPVパネルが、例えば、ビルディング建築が勾配屋根の一部であるときといった場合のように、鉛直に対して傾斜された配向で位置決めされる。それによって、細長い架橋板配置は実質的に水平方向で延び、PVパネルのうちの1つの背面に重なり合う第1の拡張縁部が、第2のPVパネルの太陽に曝される表面に重なり合う第2の拡張縁部より高い位置決め高さに配置される。
【００４６】
それによって、細長い架橋板配置の瓦状に重なる取り付けが、傾斜したビルディング建築表面要素同士の間で実質的に水平に拡張した隙間を架け渡すのに特に適合されることが利用される。
【００４７】
矛盾していない場合、このようなビルディング建築のいずれかの先に対処された実施形態と共に、さらに対処されるこのようなビルディング建築のいずれかの実施形態と組み合わせられ得る、定義されたような瓦状に重なる細長い架橋板配置を備える種類のビルディング建築のさらなる実施形態では、斜めに並んで取り付けられ、2つの交差する間隙によって互いと離される少なくとも4つのビルディング建築表面要素が設けられる。上記で対処されたような機械的に付勢された封止配置は、交差する間隙のうちの一方を架け渡す。ビルディング建築は、2つの交差する間隙の第2の方を架け渡すさらなる機械的に付勢された封止配置をさらに備える。このさらなる機械的に付勢された封止配置は、機械的に付勢された封止配置の少なくとも端部の下方で延び、その少なくとも端部において重なり合う手法で交差する拡張水回収通路を備える。このような重なり合いは、2つの間隙の交差によって定められる間隙領域で実現され、対処される水回収通路は前記間隙領域を架け渡す。
【００４８】
したがって、2つの交差する間隙の交差中心である対処される間隙領域において特に浸透するあらゆる水が、水回収通路構成によって回収される。
【００４９】
上記で対処されたように、ビルディング建築が、勾配屋根表面の手法で鉛直に対して傾斜された配向で位置決めされる場合、1つの瓦状に重なる細長い機械的に付勢された封止配置は、実質的に水平に配置された間隙に沿って水がビルディングに向かって浸透するのを防止する。対処される水回収通路配置は、ビルディングに向かって対処される間隙領域において浸透し得る水を回収する。
【００５０】
正に対処されている実施形態の一実施形態では、水回収通路を備えるさらなる機械的に付勢された封止配置は、水回収通路に沿って延び、水回収通路を覆う拡張カバー板構成をさらに備える。対処される拡張カバー板構成は、2つの間隙の交差によって定められる間隙領域で、機械的に付勢された封止配置の少なくとも端部において重なり合う手法で交差し、このような間隙領域を架け渡す。
【００５１】
すでに上記で対処されたように、一方において、矛盾していない場合、ビルディング建築の先に対処された実施形態のいずれかと共に、続いて対処される実施形態のいずれかと組み合わせられ得るビルディング建築の一実施形態では、ビルディング建築表面要素の両方のいずれも防水性の材料の膜の帯片を有し、これらの帯片または防水性の材料が間隙を共同して架け渡すか、または、ビルディング建築表面要素の一方だけがこのような防水性の材料の帯片を有し、この帯片こそが間隙を架け渡す。
【００５２】
矛盾していない場合、先に対処された実施形態およびさらに対処される実施形態のいずれかと組み合わせられ得る、ビルディング建築の一実施形態では、PVパネルおよび/または取付板の縁に沿う間隙を架け渡す機械的に付勢された封止配置が設けられ、このような封止配置は、隙間に沿って延び、PVパネルの背側面に沿って、または、太陽光に曝されるか取付板の縁に重なり合うPVパネルの表面に沿ってのいずれかで、PVパネルの縁と重なり合う少なくとも1つの細長い架橋板を備え、または、2つの機械的に付勢された封止配置が設けられる場合、1つの細長い架橋板がPVパネルの縁同士の間で延び、第2の細長い架橋板が取付板の縁同士の間で延びる。間隙にすべて沿って、細長い架橋板とPVパネルおよび/または取付板のそれぞれの面との間で延びる、例えばゴム弾性材料などの細長い封止部材の一対が、さらに設けられる。それによって、対処される細長い封止部材の各々は、別々に適用される部材、細長い架橋板に固定される部材、または、PVパネルもしくは取付板の面の1つに、例えば接着されるといった、固定される部材であり得る。ビルディング建築は、間隙を架け渡し、PVパネルの面、または、細長い封止部材が位置するそれらの面と向かい合う取付板の面と重なり合う少なくとも1つの付勢部材をさらに備える。細長い架橋板および少なくとも1つの付勢部材は、例えば、一実施形態においてネジ棒材である引っ張り棒材によって、互いに付勢される。
【００５３】
したがって、2つの近接するビルディング建築表面要素と中間間隙とを考えると、太陽光に曝される関係するPVパネルの表面の縁に沿って、または、そのPVパネルの背面の縁に沿ってのいずれか、および/または、取付板の面のうちの一方に沿って、例えば封止条片の形を持つ、対処される細長い封止部材の対が設けられる。細長い架橋板が、PVパネルまたは取付板の一方のそれぞれの側から、対処される封止部材へと適用され、細長い封止部材ならびに細長い架橋板が適用されるPVパネルまたは取付板の向かい合う面に対して、それら向かい合う面に位置する少なくとも1つの付勢部材の作用によって、しっかりと保持および付勢される。
【００５４】
正に対処されている実施形態の一実施形態では、付勢部材自体は、間隙に沿って延びるさらなる細長い架橋板である。この実施形態では、さらなる実施形態として、細長い封止部材のさらなる対が、さらなる細長い架橋板とPVパネルまたは取付板のそれぞれの面との間に設けられてもよい。
【００５５】
少なくとも1つの細長い架橋板を持つ上記で対処されたような実施形態のさらなる実施形態では、少なくとも2つの付勢板が、間隙に沿って分配されて設けられ、好ましくはゴム弾性材料を介して、PVパネルおよび/または取付板の面に位置する。したがって、この実施形態では、細長い封止部材の対と協働する1つだけの細長い架橋板が設けられる。対処される細長い架橋板が、架橋板ならびに細長い封止部材が設けられる2つの近接するPVパネルまたは取付板の側に対して、その対処されるパネルまたは板の反対側に位置する対処される少なくとも2つの付勢板を用いて、細長い封止部材の対を介して、PVパネルまたは取付板に向かって付勢される。
【００５６】
少なくとも1つの細長い架橋板が設けられた、本発明によるビルディング建築の一実施形態では、このような少なくとも1つの細長い架橋板は、PVパネルの背面に重なり合うように設けられる。したがって、この実施形態では、細長い封止部材の対が、PVパネルの背面に沿って設けられ、PVパネルの背面に向かって付勢され、そのため大気の紫外線放射から遮蔽される。
【００５７】
2つの隣接するビルディング建築表面要素の間の間隙を架け渡す機械的に付勢された封止配置が設けられた、本発明によるビルディング建築のさらなる実施形態では、少なくとも4つの対処されるビルディング建築表面要素が提供される。4つのビルディング建築表面要素は、並んで取り付けられ、交差の間隙によって互いと離れている。間隙の各々では、それぞれのPVパネルの平行な縁に沿う交差の対処される間隙の各々を架け渡す、対処される機械的に付勢された封止配置のうちの1つが設けられる。対処される機械的に付勢された封止配置は、間隙の公差の中心領域に隣接して途切れる。対処される機械的に付勢された封止配置の端、ならびに間隙の中心の中心領域の境界となるビルディング建築表面要素の4つの角を封止するように相互連結する、好ましくは同様に機械的に付勢される封止配置である交差中心封止配置が、さらに設けられる。
【００５８】
細長い架橋板を備える、本発明によるビルディング建築のさらなる実施形態では、少なくとも4つのビルディング建築表面要素が設けられ、少なくとも4つのビルディング建築表面要素が、並んで取り付けられ、交差の間隙によって互いと離れている。対処される細長い封止板のうちの少なくとも1つは、それぞれのPVパネルまたは取付板の平行な縁に沿って交差の間隙の各々を架け渡し、交差の中心領域に隣接して途切れる。この実施形態は、4つの隣接するビルディング建築表面要素の4つの近隣する角に重なり合う少なくとも1つの交差中心カバー板を備える交差中心封止配置をさらに備える。対処される交差中心カバー板の周囲に沿い、対処される交差中心カバー板と、対処される4つの角と、4つの細長い架橋板の端との間にあり、好ましくは細長い封止部材の対と交差する封止部材ループが、さらに設けられる。
【００５９】
間隙の交差の中心領域を架け渡し、4つの角のうちの少なくとも1つ、および、4つの細長い架橋板のうちの少なくとも1つと重なり合う付勢交差中心部材がさらに設けられ、それによって、付勢交差中心部材と交差中心カバー板とが、優れた実施形態ではネジ棒材である少なくとも1つの引っ張り棒材によって互いに付勢される。
【００６０】
本発明者らは、2つ以上のビルディング建築表面要素が設けられ、隣接するビルディング建築表面要素同士の間に形成される間隙が、異なる形態の実現での機械的に付勢された封止配置を用いて架け渡される、本発明によるビルディング建築の異なる変形または実施形態対処してきた。ビルディング建築に沿ってパターンを形成することになるこのような機械的に付勢された封止配置をさらに利用するために、このような機械的に付勢された封止配置は、ビルディング建築に沿って導電体のパターンまたは格子を形成するために、電気的に伝導であるように結合される拡張金属部材を備えるように仕立てられる。それによって、導電体のこのパターンまたは格子は、それぞれのビルディングに向けた避雷システムの一部として利用される。
【００６１】
発明の第2の態様
ビルディング建築の表面は、特にそれらの形および寸法に関して、建築者の要望および希望などによって、慣習的にあらかじめ決められている。ビルディング建築の表面は、例えば、窓、煙突などのための開口によって割り込まれる可能性がある。さらに、ビルディング建築の対処される表面に、例えば、角を有し、曲線または湾曲とされており、突出部分を定める、境界となる縁が設けられ得る。
【００６２】
太陽エネルギー変換装置のモジュールもしくはパネルを備える、または、太陽エネルギー変換装置のモジュールもしくはパネルによって形成される、産業的に製造されるビルディング建築表面要素は、標準化された寸法であっても別体で慣習的に製造され、任意の所望の形および寸法に仕立てられなくてもよい。ビルディング建築表面に沿って、太陽エネルギー変換装置のモジュールもしくはパネルから作られる、または、太陽エネルギー変換装置のモジュールもしくはパネルを備える、このようなビルディング建築表面要素を提供することは、大抵、一部の表面領域が、このような対処される産業的に製造されるビルディング建築表面要素によって覆われない結果となる。これは、このようなビルディング建築の表面の非一様な外観をもたらすことになる。
【００６３】
本発明の第2の態様の下では、対処される欠点を是正することが目的である。
【００６４】
この目的は、太陽エネルギーが由来するビルディング建築表面配置の周囲に曝される第1の面を各々有する第1のビルディング建築表面要素を備えるビルディング建築表面配置によって、本発明の第2の態様の下で、本発明により解決される。第1の面は、太陽エネルギーが衝突することになる太陽エネルギー変換装置モジュールの表面である。対処される周囲に曝される第2の面を有する少なくとも1つの第2のビルディング建築表面要素が、さらに設けられる。それにより、第2の面は、太陽エネルギー変換装置モジュールの面ではない。この面は、第1の面、つまり太陽エネルギー変換装置モジュールによって形成される面の外観と実質的に等しい外観を提供するように考えられる。
【００６５】
したがって、実際、太陽エネルギー変換装置モジュールによってそれぞれ形成される、または、このような太陽エネルギー変換装置モジュールを備える、対処される第1のビルディング建築表面要素の他に、このような太陽エネルギー変換装置モジュールを持たない少なくとも1つの第2の種類のビルディング建築表面要素が提供され、その第2の種類のビルディング建築表面要素は、しかしながら、対処される第1の種類のビルディング建築表面要素のように見え、しかし実際には、太陽エネルギー変換装置が設けられているように見えるため、このような第1の建築表面要素の「模造」または「代用」である。
【００６６】
このような要素が、産業的に製造される第1の種類のビルディング建築表面要素によって覆うことができないビルディング建築表面の具体的な残りの領域の形に適合されるように、個別の所望の形へと切断または仕立てられるのを妨げるのは、主にビルディング建築表面要素の太陽光変換装置モジュールであると考えざるを得ない。太陽エネルギー変換装置モジュールを持たない、対処される「代用」の第2の種類のビルディング建築表面要素によって、寸法や形にかかわらずビルディング建築表面の全体を覆うように補完するためのそれぞれの必要性に応じて、建築の場所にこのような第2の種類の要素を適合するように仕立てることが可能となる。
【００６７】
第1の種類のビルディング建築表面要素が、太陽エネルギー変換装置モジュールとして、PVパネルである、または、PVパネルを備えることはまさしく真実であるが、同じ方策が、例えば、熱太陽光エネルギー変換装置から成る、または、熱太陽光エネルギー変換装置を少なくとも備える、他の第1のビルディング建築表面要素に行き渡ってもよい。
【００６８】
矛盾していない場合、このような構成のさらに対処される実施形態のいずれかと組み合わせられ得る対処される構成の優れた実施形態では、少なくとも1つの第2のビルディング建築表面要素の形が、変換されるが第1の種類のビルディング建築表面要素によって覆うことができない表面領域の少なくとも一部の形に個別に適合するように仕立てられて適合される。
【００６９】
したがって、対処される構成によって覆われるビルディング建築表面の全体の形は、第2のビルディング建築表面要素の切断または鋸切断などによって個別に適合でき、それによって、少なくとも実質的に一様である全体の覆われた領域の外観を保証する。
【００７０】
矛盾していない場合、先に対処された実施形態と共に、第2の態様の下で本発明のさらに対処される実施形態のいずれかと組み合わせられ得る、本発明の第2の態様による対処される配置のさらなる優れた実施形態では、第1のビルディング建築表面要素ならびに第2のビルディング建築表面要素がビルディング建築要素を備える。したがって、第1のビルディング建築表面要素は、太陽エネルギー変換装置を各々備えるだけでなく、機械的安定性、断熱性、防水性などに関するように、ビルディング建築のための要件を満たすビルディング建築要素を追加的に備える。
【００７１】
第2のビルディング建築表面要素の層または板は、例えば、配置の建築の場所における切断によって、仕立てられ得る。第2のビルディング建築表面要素は、第1のビルディング建築表面要素で実施される対処されるビルディング建築要素と同じ特性を、少なくとも実質的に提供する。
【００７２】
優れた実施形態では、第2のビルディング建築表面要素は、第1のビルディング建築表面要素にも取り入れられるのと同じビルディング建築要素を備える。
【００７３】
それによって、第2の要素は、周囲と衝突する太陽光とに曝され、太陽エネルギー変換装置モジュールの存在を視覚的に「擬態」する材料板によって、第1のビルディング建築表面要素とは異なり得る。
【００７４】
配置の現在の好ましい実施形態によれば、第1のビルディング建築表面要素の太陽エネルギー変換装置モジュールは、PVモジュールを少なくとも備える。それによって、PVモジュールを持つ対処される第1のビルディング建築表面要素の一部か、熱太陽光エネルギー変換装置を持つ他の部品かのいずれかを提供する、および/または、対処される第1のビルディング建築表面要素において、両方、つまり、PVモジュールならびに熱太陽光エネルギー変換装置を組合せで提供することは、間違いなく可能である。
【００７５】
矛盾していない場合、いずれかのこのような先に対処された実施形態またはさらに対処される実施形態と組み合わせられ得る、本発明の第2の態様の下での対処される配置のさらなる優れた実施形態では、太陽エネルギー変換装置の面を視覚的に擬態する第2の面が、金属板の面であり、それによって、好ましくは少なくともアルミニウムを含む。
【００７６】
矛盾していない場合、本発明の第2の態様の下で先に対処された実施形態、および、さらに対処される第2の態様の実施形態のいずれかと組み合わせられ得る、現在好まれるさらなる優れた実施形態では、第1のビルディング建築表面要素は、本発明の第1の態様の下で詳述および主張されたもののように考えられる。
【００７７】
正に対処されているさらなる優れた実施形態では、配置は、本発明の第1の態様の下で十分に詳述および主張されたようなビルディング建築を備える。
【００７８】
本発明の第2の態様は、支持構造を提供するステップと、前記ビルディング建築ビルディング建築の少なくとも1つの表面領域に沿って支持構造に多数の第1のビルディング建築要素を取り付けるステップとを含むビルディング建築表面領域に沿ってビルディング建築表面構成を製造する方法にさらに向けられている。それによって、各々の第1のビルディング建築要素は、大気に曝され、太陽エネルギーが由来する第1の面を有する太陽エネルギー変換装置モジュールを備える、または、このような太陽エネルギー変換装置モジュールによって形成される。
【００７９】
少なくとも1つの表面領域が、太陽エネルギー変換装置を備えない少なくとも1つの第2のビルディング建築要素によって補完される。第2のビルディング建築要素は、大気に曝され、太陽エネルギーが由来する第2の面を有し、第1の面の外観と実質的に等しい外観を有する。それによって、第2のビルディング建築要素は、好ましくはビルディング建築表面の覆われる完全な領域に向けて、少なくとも1つの表面領域の前記補完を最適に実施するために、形に対して適合するように仕立てられる。
【００８０】
明らかなことには、この方法は、本発明の第1の態様の下で十分に説明および主張されたような第1のビルディング建築要素のいずれかを活用して実施でき、本発明の第1の態様の下で同じく十分に対処されて主張されたようなビルディング建築の取り付けを組み込むことができる。
【００８１】
第1の態様、第2の態様、および組合せの態様の下での本発明が、ここでは、図を活用してさらに例示されることになる。
【図面の簡単な説明】
【００８２】
【図１】本発明によるビルディング建築表面要素の実施形態の簡略化されて概略的にされた斜視図である。
【図２】図1に示されたようなビルディング建築表面要素におけるスペーサ配置に設けられたスペーサの簡略化されて概略的にされた異なる実施形態の図である。
【図３】図1に示されたようなビルディング建築表面要素におけるスペーサ配置に設けられたスペーサの簡略化されて概略的にされた異なる実施形態の図である。
【図４】図1に示されたようなビルディング建築表面要素におけるスペーサ配置に設けられたスペーサの簡略化されて概略的にされた異なる実施形態の図である。
【図５】図1に示されたようなビルディング建築表面要素におけるスペーサ配置に設けられたスペーサの簡略化されて概略的にされた異なる実施形態の図である。
【図６】図1に示されたようなビルディング建築表面要素におけるスペーサ配置に設けられたスペーサの簡略化されて概略的にされた異なる実施形態の図である。
【図７】例えば図1の実施形態によるビルディング建築表面要素を少なくとも2つ備える、本発明によるビルディング建築の実施形態の一部の断面図である。
【図８】図7の実施形態と組み合わされ得る本発明によるビルディング建築のさらなる実施形態の一部の簡略化された断面図である。
【図９】本発明による少なくとも4つのビルディング建築表面要素を持つ本発明によるビルディング建築における概略的で簡略化された平面図である。
【図１０（ａ）】本発明によるビルディング建築の、本発明による2つのビルディング建築表面要素の間の間隙を防水で封止する、最も概略的で簡略化された異なる変形の図である。
【図１０（ｂ）】本発明によるビルディング建築の、本発明による2つのビルディング建築表面要素の間の間隙を防水で封止する、最も概略的で簡略化された異なる変形の図である。
【図１０（ｃ）】本発明によるビルディング建築の、本発明による2つのビルディング建築表面要素の間の間隙を防水で封止する、最も概略的で簡略化された異なる変形の図である。
【図１０（ｄ）】本発明によるビルディング建築の、本発明による2つのビルディング建築表面要素の間の間隙を防水で封止する、最も概略的で簡略化された異なる変形の図である。
【図１０（ｅ）】本発明によるビルディング建築の、本発明による2つのビルディング建築表面要素の間の間隙を防水で封止する、最も概略的で簡略化された異なる変形の図である。
【図１０（ｆ）】本発明によるビルディング建築の、本発明による2つのビルディング建築表面要素の間の間隙を防水で封止する、最も概略的で簡略化された異なる変形の図である。
【図１１】本発明の第2の態様の下での本発明による第1および第2のビルディング建築表面要素によって覆われたビルディング建築の表面の最も簡略化された概略的な平面図である。
【図１２】第1のビルディング建築表面要素が太陽エネルギー変換装置のモジュールまたはパネルである、本発明の第2の態様の下での本発明による第1および第2の建築表面要素の最も概略的な簡略化された断面図である。
【図１３】第1のビルディング建築要素が太陽光変換装置モジュールならびにビルディング建築要素を備える、本発明の第2の態様の下での本発明による第1および第2の建築表面要素の実施形態の、図12の図と同様の図である。
【図１４】例えば図7で例示されているような、本発明の第1の態様などの第1のビルディング建築表面要素と組み合わされるように適合された、本発明の第2の態様の下での本発明による第2のビルディング建築表面要素の斜視図である。
【図１５】図14に描写されているような第2のビルディング建築表面要素の周囲に沿って融通の利くように設けられるような取付部材の斜視図である。
【図１６】機械的に付勢された封止配置によって近接するビルディング建築表面要素同士の間の間隙を架け渡すさらなる実施形態の最も概略的な断面図である。
【図１７】図16により架け渡された間隙を横断するビルディング建築表面要素同士の間の間隙を架け渡す機械的に付勢された封止配置の、図16の図に準じた概略的な図である。
【図１８】図16および図17に概略的に示されているとして考えられる、ビルディング建築表面要素同士の間の交差間隙に沿う機械的に付勢された封止配置の協働の概略的な斜視図である。
【図１９】図18による実施形態に存在し、図16を活用して主に記載されるような機械的に付勢された封止配置の、現在実施されている実施形態の断面図である。
【図２０】図18にも存在する、図17を活用して概略的に提示されるような機械的に付勢された封止配置の現在実施されている実施形態の図である。
【発明を実施するための形態】
【００８３】
例による第1の態様の説明
図1は、ビルディング建築表面要素10の一実施形態を、斜視図において、簡略化して概略的に示している。下にあるビルディング建築表面要素10のすべての構造を見る目的のために透明である、図1に示されたPVパネル1は、太陽光に曝される表面Soと背面SUとを有している。PVパネル1の背面SUから離間すると共に背面SUと平行に取付板3が設けられており、取付板3は、例えば、金属のもの、現在の優れた実施形態ではアルミニウムのもの、もしくは、プラスチック材料のものであり得るか、または、サンドイッチされた層材料のものであり得る。PVパネル1の背面SUと取付板3の取付面Smとの間には、PVパネル1の背面SUおよび取付板3の取付面Smに実質的にすべて沿って延びる通気隙間7が形成されている。PVパネル1は、スペーサ9の配置によって取付板3に対して取り付けられて固定されている。それによって、優れた実施形態では、PVパネル1の背面SUは、符号11によって示されるようにスペーサ9に接着される。
【００８４】
スペーサ9の異なる実施形態が、図2〜図6に概略的に示されている。図2によるスペーサは、円筒軸Aの周りに開放または閉止した円筒形のスタッド9a、9bのいずれかである別体の部品、または、符号9cおよび9dにおいて点線で示されているような線形または湾曲の別体のスペーサ棒材である。
【００８５】
明らかなことには、円筒形の代わりに、スペーサスタッド9aおよび9bは、二次断面または四角形の断面のもの、または、任意の適切な断面形状のものであり得る。
【００８６】
図3によれば、図2の実施形態と反対に、スペーサ9eは、中実の材料のものであり、例えば軸Aの周りに円筒形である。代替で、これらの中実材料のスペーサは、点線で符号9fに示されているような細長い線形または曲線の棒材として設けられてもよい。
【００８７】
図2および図3によれば、スペーサは、接着またははんだ付けなどによって、取付板3に固定された別体の分離した部品として設けられている一方で、図4および図5の実施形態によるスペーサは、取付板3と一体の1つの部品である。図4によれば、円筒形のスペーサ9gは、型打ちなどによって、取付板3から形成されている。代替で、このような型打ちされたスペーサは、図4において符号9hに点線で示されているような線形または曲線の棒材である。図5のスペーサの実施形態によれば、円筒形または他の断面とされたスペーサスタッド9iが、または、図5において点線で示されている線形または曲線の棒材9kが、取付板3に成形または鋳造される。図2〜図5の状況で対処されたようなスタッド形または棒材形のスペーサの代替または追加である図6による実施形態では、スペーサの少なくとも一部は、図6の符号9lにおいて概略的に示されるような骨組棒材である。このような棒材9lは、例えば、図6において符号13で示されているように、取付板3にはんだ付けされる。重要なことに、スペーサ9は、通気隙間7を実質的に妨げない、または、塞がない。スペーサ9をそれぞれ設けて分配することで、通気隙間7を広く開いて維持することに加えて、例えば、図6に概略的に示されているような骨組棒材として建築されるスペーサ9の少なくとも一部を提供することで、PVパネル1のための正確な支持を最も効果的に達成する。
【００８８】
図1を再び見ると、以下の材料のうちの少なくとも1つから作られ得る断熱板15が設けられている。
-  ポリウレタン、PUR。
-  ポリイソシアヌレート、PIR。
-  ポリエチレンテレフタレート、PET。
-  ロックウール。
-  膨張パーライト。
-  木質繊維。
-  絶縁塗料。
そして、例えば、ハニカムパターンを持つこと、接着などによって取付板3の後側Srに固定されることが、考えられ得る。現在、断熱板に、ロックウールの少なくとも1つの層を設けること、または、ロックウールの断熱板15を作ることが、好まれている。
【００８９】
断熱板15は、単一の材料のものであってよく、または、異なる層または材料のサンドイッチ構造で実現されてもよい。それによって、断熱板は、その断熱を提供する目的に加えて、防音を提供する、および/または、異なる目的が、単一の材料によって、または、具体的に適合された異なる材料を適用することによって実現され得る大きな熱容量を提供する。
【００９０】
断熱板15を通過し、断熱板15に沿い、例えば水といった冷却媒体または過熱媒体を通すように流す通路のシステム(図1には示されていない)を有することは、一部の用途にとってさらに有利であり得る。このような媒体によって、一方で、必要であれば夏などに熱がビルディング建築表面要素10から除去でき、冬などに、太陽光に曝されるPVパネル1の表面の凍結を解除するために、対処される表面要素に熱が加えられ得る。
【００９１】
図1の実施形態によれば、断熱板15は、取付板3の反対で、金属のものまたはプラスチック材料のものであり得るが、現在はアルミニウムで実現されているさらなる取付板17に、固定されている。断熱板15の材料に依存して、さらなる取付板17を適用しないことは可能であり得る。特に、断熱板15が、実用的に引き裂き強度に耐えないロックウールから作られている、または、そのようなロックウールを含んでいる場合、さらなる取付板17は設けられる必要がある。さらなる取付板17は、このような方策が断熱板15の材料を考慮して可能である場合、断熱板15に接着されるだけでよい。特に、断熱板15がロックウールの層から成る、または、そのような層を含む場合、さらなる取付板17は、図1において結合棒材19によって例示されているような連結部材を用いて、取付板3に取り付けられて取付板3へと付勢される。結合棒材19の長さ範囲の少なくとも一部は、プラスチック材料などの非熱伝導性の材料から作られる。それによって、断熱板15の熱伝導性の架け渡しが回避される。
【００９２】
図1に示されているように、取付板3の周囲縁の少なくとも一部には、防水性の膜の帯片または条片21が設けられている。膜の帯片21の幅の一部は、接着などによって取付板3の取付面Smに封止するように固定されており、一方、防水性の膜の帯片または条片21の幅の範囲の第2の一部は、取付板3の縁に自由に重なり合う。図1の実施形態によれば、このような防水性の帯片21は、取付板3の1つの長さ方向の縁3lに沿って、および、取付板3の1つの幅方向の縁3wに沿って適用されている。
【００９３】
それによって、防水性の膜の帯片は、硬い材料のものであってよく、または、現在の好ましい実現の形態において、箔状の可撓性の材料のものである。
【００９４】
図7は、本発明によるビルディング建築の一部を、断面における簡略化されて描写で示している。この描写では、加えて、図1の状況において主に記載されていたようなビルディング建築表面要素の実施形態の一部の詳細が、明らかとなる。
【００９５】
ビルディング建築は、少なくとも2つのビルディング建築表面要素10aおよび10bと、残りのビルディング建築30とを備えており、ビルディング建築30の表面は、対処される少なくとも2つのビルディング建築表面要素10aおよび10bによって完成されて仕上げられる。
【００９６】
図7によれば、2つのビルディング建築表面要素10aおよび10bは、残りのビルディング建築30に並んで取り付けられており、間に間隙32を定めている。2つのPVパネル1が、互いに離間されており、接着などによってそれぞれのスペーサ9にそれぞれ固定されている。2つのビルディング建築表面要素10aおよび10bの取付板3は、互いに離間されている。それらの平行な縁は、PVパネル1と実質的に同一平面となっている。それぞれの断熱板15が、取付板3とさらなる取付板17との間に適用されている。さらなる取付板17は、取付板3の縁および断熱板15の側面に対して間隙32へと突出しており、間隙32の底を共同で架け渡している。点線で符号34に示されているように、さらなる取付板17のこれらの突出部は、対処される表面要素10aおよび10bによってビルディング建築の表面に対して仕上げられるように、ビルディング建築表面要素10aおよび10bを、ネジなどによって、残りのビルディング建築へと固定するために利用される。
【００９７】
図7でさらに示されているように、左手側のビルディング建築表面要素10aには、図1などの防水性の膜の帯片または条片21が設けられている。膜の帯片または条片21の自由に覆いかぶさる部分は、間隙32の上端に架け渡すように適用され、取付板3の取付面に右手側のビルディング建築表面要素10bに、例えば、概略的に符号36で示されている接着によって、封止するように固定される。それによって、間隙32および残りのビルディング建築30についての防水性のシールが確立される。点線で示されているように、2つのビルディング建築表面要素のうちの一方において防水性の膜の帯片21を使用すること、または、両方のビルディング建築表面要素10aおよび10bの取付板3のそれぞれの縁に沿って防水性の膜の帯片を使用することは、1つまたは2つの帯片21による間隙32の架け渡しが、水を回収および除去するための通路状の溝38を定めるために行われ得る。
【００９８】
図7でさらに示されているように、間隙32の上端を封止するように閉じるのに先立ち、断熱象嵌40が、対処される防水性の膜の帯片または条片21のうちの1つまたは2つを用いて間隙32を封止するように閉じる前に、矢印Wによって示されているように、間隙32へと適用され得る。
【００９９】
図1または図7などの膜の帯片21、または、このような帯片に対処する以後の図のいずれかは、帯片の支持表面を完全に覆い、対処される帯片としてそれぞれの縁を超えて突出するそれぞれの層によって、実現されてもよい。したがって、図1を考えると、ある場合には、帯片21は、縁が帯片21を形成するそれぞれの層で取付板の取付面Smを完全に覆うことで実現され得る。
【０１００】
光起電性太陽パネル1および取付板3は、PVパネルを連結するための電気ケーブルなどについてのケーブルのために利用される。
【０１０１】
図7による描写から離れて、図8は、間隙32を封止するように閉じる代替または追加の解決策を示している。図8の実施形態では、図7の状況においてすでに対処されている部品が、同じ参照番号で参照されている。
【０１０２】
図8の実施形態によれば、間隙32に実質的にすべて沿って延び、PVパネル1の背面に重なり合う細長い架橋板50が設けられている。太陽パネル1の背面Suと細長い架橋板50との間には、間隙32の範囲に沿って同じく延びる細長い封止部材52がそれぞれ設けられている。PVパネル1の太陽光に曝される表面Soの平行な縁に圧し掛かって重なり合う、少なくとも1つの付勢部材54が設けられている。細長い架橋板50と付勢部材54とは、図8の実施形態によればネジ引っ張り棒材である、少なくとも1つの引っ張り棒材56を用いて互いに付勢される。細長い架橋板50と少なくとも1つの付勢部材54とを互いに付勢することで、細長い封止部材52の対は、背面Suと細長い架橋板50との間で封止するように付勢される。したがって、付勢部材54、細長い架橋板50、および細長い封止部材52は、「機械的に付勢された封止配置」51を形成している。
【０１０３】
点線で示されているように、防水性の間隙の封止に追加して、封止配置50、52、54、および56を用いて、第2の防水性の封止が、1つまたは2つの防水性の膜の帯片21を用いて、図7の状況において説明されているように確立され得る。
【０１０４】
PVパネル1の平行な縁を封止するように結合することを考えると、細長い封止部材52は、太陽光に曝されるPVパネル1の面Soの縁と、この場合、間隙32の範囲にすべて沿う細長い架橋板として建築される付勢部材54との間に、追加または代替で設けられてもよい。いずれの場合でも細長い封止部材と協働する要素54および要素50のその要素は、間隙32の範囲に沿って同じく細長くされる必要がある。2つの要素54および50の一方だけが、符号52などの細長い封止部材の対と協働する場合、これら2つの部材の他方は、1つ以上の付勢板として建築されるだけでもよい。したがって、例えば、図8の要素54は、図8の細長い架橋板50の長さ範囲に沿って分配される1つ以上の付勢板であってもよい。
【０１０５】
図9は、ビルディング建築の表面を仕上げる3つの表面要素10a〜10dを備える、本発明によるビルディング建築における、図8の矢印Pに従う平面図である。4つのビルディング建築表面要素10a〜10dは並んで取り付けられ、したがって、交差中心領域60を持つ間隙32の交差を形成している。4つの間隙32には、各々、それぞれのPVパネル1の背面に向かって細長い封止部材52の対を付勢する細長い架橋板50が設けられている。
【０１０６】
図9では、明確にするために、図8の状況で詳述されたような付勢部材54が示されていない。
【０１０７】
交差中心領域60を封止するように閉じるために、PVパネル1の4つの近接する角、ならびに細長い架橋板50のそれぞれの端および細長い封止部材52のそれぞれの対の端に重なり合う交差中心カバー板64を備える交差中心封止配置62が設けられている。交差中心カバー板64は、PVパネル1の背面に沿って置かれ、対処されているように、4つの細長い架橋板50の端に重なり合う。交差中心カバー板64と隣接するその縁とに沿って、一方で細長い架橋板50の下方の縁面に対して圧し掛かり、他方ですべての4つの対の細長い封止部材52の端に沿って圧し掛かるループ状の封止部材66が設けられている。明確にするために図9に示されていないため、交差中心カバー板64は、太陽に曝されるPVパネル1の面Soにそれぞれの近接する角の領域において圧し掛かる付勢部材を用いて、上方へと付勢されている。このような付勢部材は、例えば1つ以上のタイロッド、好ましくはネジロッドによって、付勢部材54と同様に、交差中心カバー板64に連結されている。
【０１０８】
本発明によるビルディング建築の2つの隣接するビルディング建築表面要素の間の感激を防水で封止する技術を考えると、第1の技術が図7で例示されており、つまり、近接する建築表面要素の間に間隙を架け渡す膜の帯片を提供するものである。第2の技術は、図8を活用して例示されており、つまり、近接するビルディング建築表面要素の間に機械的に付勢された封止配置51を提供するものである。これらの2つの技術は有利に組み合わせられ得ることが述べられている。図10(a)〜図10(f)は、膜の帯片の技術によってか、機械的に付勢された封止構成を提供することによってか、または、両方の技術を組み合わせることによって、対処される間隙32を防水で封止するように閉じることの異なる変形を示している。
【０１０９】
図10(a)によれば、間隙32は、PVパネル1の平行な縁同士を架け渡す1つまたは2つの膜の帯片21によって防水で封止される。
【０１１０】
図10(b)によれば、間隙32は、取付板3の平行な縁同士を架け渡す1つまたは2つの膜の帯片21によって防水で架け渡される。
【０１１１】
図10(c)によれば、間隙32は、一方で、PVパネル1の平行な縁同士を架け渡す1つまたは2つの膜の帯片21によって、他方で、取付板3の平行な縁同士を架け渡す1つまたは2つの膜の帯片21によって、防水で封止される。
【０１１２】
図10(d)によれば、間隙32は、PVパネル1の平行な縁同士の間で、機械的に付勢される封止配置51によって防水で封止される。追加的に、点線で示されているように、間隙は、取付板3の平行な縁同士を架け渡す1つまたは2つの膜の帯片21によって防水で封止されてもよい。
【０１１３】
図10(e)によれば、間隙32は、取付板3の平行な縁同士を架け渡す機械的に付勢される封止配置51によって、防水で封止される。点線で示されているように、追加的に、間隙は、PVパネル1の平行な縁同士の間で、1つまたは2つの膜の帯片21によって防水で封止されてもよい。
【０１１４】
図10(f)によれば、間隙32は、取付板3の平行な縁同士を架け渡す第1の機械的に付勢される封止配置51によって、および、PVパネル1の平行な縁同士を架け渡す第2の機械的に付勢される封止配置51によって、防水で封止されてもよい。
【０１１５】
例による第2の態様の説明、および、例による組み合わされた第1および第2の態様の説明
図11は、本発明の第2の態様による包括的な方策の元で本発明を説明するために、無作為に選択された形のビルディング建築の表面の例を平面図で示している。ビルディング建築の表面200は、例えば、窓または煙突のための開口202と、湾曲されたアーチ形の境界部204ならびに突出部206を備えている。表面200の支配的な領域は、例えば、産業的に製造されるような標準化された寸法および形といった、すべて等しい寸法および形のものである第1のビルディング建築表面要素208によって覆われている。第1のビルディング建築表面要素208は、太陽エネルギー変換装置モジュールを備える、または、太陽エネルギー変換装置モジュールから成る。
【０１１６】
しかしながら、1つのあらかじめ確立された形および寸法においてだけでなく、産業的に製造されるような2つ以上の所定の寸法および形において、太陽エネルギー変換装置を、対処される第1のビルディング建築表面要素にそれぞれ提供することは、間違いなく可能である。第1のビルディング建築表面要素のパターンが、単一の所定の寸法および形のこのような要素を用いて、または、2つ以上の所定の寸法および形のこのような要素によって、実現されるかどうかにかかわらず、図11に概略的に示されているように、産業的に製造されて実用的に標準化された寸法および形の対処される第1のビルディング建築表面要素208によって覆うことができない表面200の表面領域が残る。
【０１１７】
図11には、最も概略的に、第1のビルディング建築表面要素208の単一の所定の寸法および形から離れて、対処される第1のビルディング建築表面要素によって覆うことができない領域は、ハッチングされた領域210、212、および214である。
【０１１８】
これらの領域210〜214を覆うために、建築表面要素は、適切に適合するように成形および寸法決定されなければならない。したがって、これらの領域は、それぞれの数の第2のビルディング建築表面要素216によって覆われる。第1のビルディング建築表面要素208の各々における太陽光変換装置モジュールの提供は、表面200を持つビルディング建築全体を建築する場所において直接的に最も有利に実施されるように、適切に適合する成形を妨げるため、第2のビルディング建築表面要素216は、融通の利く現場での仕立てを妨げるそのような要素の支配的な部品である太陽光変換装置モジュールを備えていない。
【０１１９】
したがって、第2のビルディング建築表面要素216は、切断、鋸切断など、ビルディング建築の建築現場で融通の利く適合性のある成形を可能にする手法で建築される。第2のビルディング建築表面要素216は、太陽光変換装置モジュールを備えないが、第1のビルディング建築表面要素208の太陽光変換装置モジュールに一致した第2のビルディング建築表面要素216の表面は、第1のビルディング建築表面要素208の対処される表面の外観に視覚的に適合され、その結果、表面200の全体の追われた領域が視覚的に一様となる。例として、第1のビルディング建築表面要素の対処される表面が、例えば太陽電池の見た目のため、パターン化される場合といった、それぞれの太陽エネルギー変換装置がPV変換装置である場合、第2のビルディング建築表面要素216のそれぞれの表面には、それぞれ同等のパターン化されたデザインが提供されてもよい。したがって、対処される第2のビルディング建築表面要素216は、実際、第1のビルディング建築表面要素208の「模造」または「代用」であり、第1のビルディング建築表面要素208だけが、太陽エネルギー変換装置である、または、太陽エネルギー変換装置を備える。
【０１２０】
最も概略的で簡略化された図12に示されているように、第1のビルディング建築表面要素208は、太陽エネルギー変換装置を用いて実現され得る。図12の実施形態と同様に表されている図13の実施形態によれば、第1のビルディング建築表面要素208は、太陽エネルギーが衝突してくる周囲Sを向いて、太陽エネルギー変換装置、ならびにビルディング建築の仕上げを提供するビルディング建築要素207を備えている。ビルディング建築の基礎は、図12および図13の両方で、参照番号205によって概略的に示されている。
【０１２１】
第2のビルディング建築表面要素216は、図12の実施形態について、および、図13の実施形態について、異なるように建築され得る。図12の実施形態では、覆われる表面200(図11)の領域を完全にし、太陽エネルギー変換装置209の表面を視覚的に擬態する機能を有している。図13の実施形態では、第2のビルディング建築表面要素216は、一方で、第1のビルディング建築表面要素208の一部である太陽エネルギー変換装置209の表面の外観を擬態し、追加的に、第1のビルディング建築表面要素208のビルディング建築要素207がこの図13の実施形態で行うのと同じビルディング建築要素の機能または特徴を提供する。
【０１２２】
本発明の第2の態様による包括的な方策の現在の好ましい実現される実施形態では、図11〜図13を活用して概して説明されたように、第1のビルディング建築表面要素208は、本発明の第1の態様のビルディング建築表面要素の状況で説明されたように、したがって、例として、図1〜図10の状況で説明されたように、建築される。以下では、本発明の第1の態様などの第1のビルディング建築表面要素と組み合わされる第2の態様の下での本発明の例が、より詳細に説明される。それによって、包括的な図11の符号216などの第2のビルディング建築表面要素は、それぞれのビルディング建築表面を覆うことを実施するとき、対処される第1のビルディング建築表面要素と最適に組み合わせられるように、本発明の第1の態様の下で、第1のビルディング建築表面要素の建築に適合される。
【０１２３】
図14は、本発明の第1の態様の下での本発明などの第1のビルディング建築表面要素の建築に適合される第2のビルディング建築表面要素216を示している。
【０１２４】
「模造」または「代用」の第2のビルディング建築表面要素216は、比較的厚い層の配置218を備えている。層の配置は1つ以上の層を備え得る。好ましくは、層の配置218の少なくとも1つの層は、断熱材料のものである。図14の例では、層の配置は、板218とも呼ばれ、好ましくは断熱材料のものである。本発明の第1の態様の状況で開示されたような第1のビルディング建築表面要素と同等に、この断熱板218は、以下の材料の1つ以上のものであり得る。
ポリウレタン、PUR。
ポリイソシアヌレート、PIR。
ポリエチレンテレフタレート、PET。
ロックウール。
木質繊維。
膨張パーライト。
絶縁塗料。
【０１２５】
断熱板218は、その周囲に沿って固定部材220によって留め付けられており、その実施形態が図15に斜視図で示されている。包括的に、固定部材220はU字の輪郭である。
【０１２６】
底脚222は、図15に示されているように、ネジ226によって、基礎脚224に取り外し可能に取り付けられている。底脚222は、孔228を通じてネジ(図示せず)などによって覆われるように、ビルディング建築に固定され得る。上方脚230が、ネジ232によって、U字の輪郭の基礎脚224に取り付けられている。スペーサ234が、上方脚230の外面に固定されている。これらのスペーサ234は、図1〜図10とそれぞれの説明とによって例示されている本発明の第1の態様の下で第1のビルディング建築表面要素の状況で十分に詳述されたスペーサ9と同様に建築され得る。
【０１２７】
スペーサ234は、別体の部品として製造される場合、例えば、上方脚230の対処される外面にネジ留め、溶接、または接着される。
【０１２８】
したがって、図14の断熱板218は、取付部材220のU字の輪郭内で留め付けられ、それに従って、底脚222は、最初に、覆われるビルディング建築に取り付けられ、次に、そこに断熱板218が留め付けまたは置かれた状態で、支持部材220のU字の輪郭が完成される。必要な場合、断熱板218は、接着、ネジ留めなどによって、取付部材220にしっかりと固定される。
【０１２９】
第2のビルディング建築表面要素は、その例が図14に示されており、建築現場において適合するように成形可能である必要があるため、対処される支持部材220は、断熱板218が適切に仕立てられると、断熱板218のあらゆる結果生じる境界となる外形に融通の利くように適用できる。
【０１３０】
図14に示すような実施形態に戻って、特に、第1のビルディング建築表面要素の実施形態が、図7の状況で示され手それぞれ説明されたような本発明の第1の態様の下での実施形態に一致する場合、断熱板218の天部に、防水性の膜または箔236が設けられ、切り欠き238が、スペーサ234を通過させるために切断されている。
【０１３１】
そこで、仮に必要である場合、拡張PVモジュール模造板240を適切に支持する場合、図14において点線で示されているように、スペーサ235が、スペーサ234に加えて、PVモジュール模造板240の背側に沿って設けられ得る。このようなスペーサ235は、防水性の膜または箔236の上側と模造板240の背側との間に設けられている。
【０１３２】
例えば、断熱板218の材料に依存して、および/または、図12および図13において符号205によって参照されるようなビルディング建築基礎の建築に依存して、「模造」または「代用」の第2のビルディング建築表面要素216の一部の適用では、断熱板218の後側に、例えば、プラスチック材料の硬い支持板、または、金属の硬い支持板であり、それにより、アルミニウム合金を明らかに含むアルミニウムの硬い支持板をいくぶん提供することは、賢明であり得る、または、必要ですらあり得る。このような支持板は、図14で符号237において点線で示されている。このような支持板237が設けられる場合、模造板240の背側とこのような板237の上側との間に、したがって、断熱板218をおそらく横断して、距離保持具により、PVモジュール模造板240の圧縮支持を提供することが間違いなく可能である(図示せず)。この場合、断熱板218の断熱特性を大幅に損なわないように注意が払われるべきであり、これは、例えば、プラスチック材料などの断熱材料の断熱板218を架け渡すこのような支持体を確立することで、実現される。
【０１３３】
さらに、断熱板218の材料に関してなど、防水性の膜または箔236の代用または追加として、プラスチック材料または金属などの硬い材料の板を、断熱板218の上部に設けることが、一部の用途にとって必要または少なくとも賢明であり得る(図示せず)。
【０１３４】
図11などの第1のビルディング建築表面要素208に包括的に従う、図7に示されているような第1のビルディング建築表面要素に隣接する場合、防水性の膜または箔236は、図7に示されているようなそれぞれの防水性の膜の帯片または条片21に防水性の手法でつながれるように、断熱板218と重ね合わされる。スペーサ234には、外観に関して、図7のPVモジュール1などのPVモジュールの表面のように見えるPVモジュール模造板240が取り付けられている。
【０１３５】
PVパネルまたはモジュール模造板240は、現在実施されている例では、アルミニウムのもの、より具体的には、アルミニウム合金のものである。太陽光が衝突してくる周囲に曝されるPVパネルまたはモジュール模造板240の表面は、図11の第1のビルディング建築表面要素208に適用され、第1のビルディング建築表面要素の図7に描写された実施形態にそれぞれ従うPVモジュールのそれぞれの表面に、視覚的にできるだけ同じようになるように処理される。
【０１３６】
PVモジュールまたはパネル「代用」板240は、切断または鋸切断などによって覆われるビルディング建築の建築場所で適合するように仕立てられてもよい。例えば、接着によって、ネジ留めによって、リベット留めによって、または、さらには溶接によって、支持体234に取り付けられる。
【０１３７】
図14に示されているような第2のビルディング建築表面要素は、本発明の第1の態様によって、例えば図8において示されたような第1のビルディング建築表面要素に関して説明されたようなこのような第2のビルディング建築表面要素に結合される。同等に、第2のビルディング建築表面要素240は、本発明の第1の態様の近接する第1のビルディング建築表面要素に関して説明されてもきており、図8の状況において具体的に示されて説明されてきたような近接する第1のビルディング建築表面要素に結合される。
【０１３８】
ビルディング建築の表面200を、例として、図7による第1のビルディング建築表面要素と図14による第2のビルディング建築表面要素とによってといった、図11において参照番号208によって包括的に示されている対処される第1のビルディング建築表面要素と、図11において符号216で包括的に示されているような第2のビルディング建築表面要素とで一方において覆った後、表面200の周囲に、完成されるビルディング建築表面要素の境界領域が残る可能性がある。当業者が容易に認識することになるように、これは、例えばプラスチック材料および/または金属材料の細長い閉止部材の配置によって実施され、これは、PV「代用」板240と防水性の膜または箔236との間の隙間の通気、延いては、図7に示されているような第1のビルディング建築表面要素のPVモジュール1と取付板3との間の通気隙間へと続く通気を、特に確保する。
【０１３９】
第2の態様の下で本発明によって適用されるような第2のビルディング建築表面要素が、太陽エネルギー変換装置を備えないが、図14の第2のビルディング建築表面要素と知れ例示されたように、模造または代用として、このような太陽エネルギー変換装置が設けられているような外観をしているという事実のため、取付部材は、例えば、雪止め要素、屋根における安全な保守を可能にする安全装置、または、全体表面に加えられるさらなる要素といった、このような第2のビルディング建築表面要素に、PVモジュール「模造」板における接着または穿孔のいずれもまったく問題を引き起こすことがないため、容易に適用できる。
【０１４０】
図8〜図10の状況において、本発明者らは、機械的に付勢された封止配置を用いた水を通さない手法で、近接するビルディング建築表面要素同士の間の間隙を架け渡す方策を説明してきた。図7の状況では、本発明者らは、膜の帯片を用いて水を通さないようにこのような間隙を架け渡す方策に対処してきた。両方の方策、つまり、機械的に付勢された封止配置によって対処される間隙を架け渡すことと、膜の帯片を用いてこのような間隙を架け渡すこととは、必要な場合、水を通さないことを向上させるために組み合わされてもよい。
【０１４１】
図16〜図20を用いて、隣接するビルディング建築表面要素同士の間の間隙を架け渡すさらなる方策が説明され、ビルディング建築表面要素は、水を通さないことがさらに向上されることになる場合、膜の帯片を用いてこのような間隙を架け渡す方策と組み合わせられ得る。
【０１４２】
以下で説明される隣接するビルディング建築表面要素の間の間隙を架け渡す技術は、必ずではないが、本発明のビルディング建築表面要素によって最も有利に建築されるが、光起電性太陽PVパネルを持つ建築表面要素同士の間のこのような間隙を架け渡すことに対処している。
【０１４３】
図16では、最も概略的に、ビルディング建築表面要素300aと300bとの間の間隙を架け渡す技術が説明される。両方のビルディング建築表面要素300aおよび300bは、間隙302を定め、最も外側の要素として、光起電性太陽PVパネル305aおよび305bをそれぞれ備えている。優れた実施形態では、すでに取り組んでこられたように、全体のビルディング建築表面要素300aおよび300bは、図1〜図7を活用して、つまり、本発明のビルディング建築表面要素に従って、建築および説明されている。
【０１４４】
PVパネル305aおよび305bの各々は、太陽光に曝される最も外側の表面Soと背面Suとを定めている。参照番号307で包括的に対処されている機械的に付勢された封止配置は、実質的に板の形とされ、図16に指し示されているような方向yにおいて細長くされており、第1の拡張縁部309aならびに第2の拡張縁部309bを備えている。
【０１４５】
y方向に拡張された第1の縁部309aは、PVパネル305aにその背面Suに沿って重なり合っており、一方、y方向に拡張された第2の拡張縁部309bは、PVパネル305bにその太陽光に曝される表面Soに沿って重なり合っている。
【０１４６】
矢印Bによって概略的に示されているように、両方の拡張円部309aおよび309b、または、それらのうちの一方だけが、少なくとも組立体全体をしっかりと一体的に保持するための度合いへと、それぞれの表面に向かって付勢されている。
【０１４７】
図16から明らかとなるように、間隙302を架け渡す包括的な方策は、近接するPVパネル305aおよび305bと機械的に付勢された封止配置307との瓦状に重なる互いの位置を提供することである。一方で、図16によれば、2つのPVパネル305aおよび305bは、それぞれ平面EaおよびEbに沿って各々配置されて示されており、図16によれば、これらの平面は1つの共通の平面を形成しており、PVパネル305aおよび305bと、延いては、それぞれのビルディング建築表面要素300aおよび300bとは、図16に概略的に示されているように、任意の所望の角度αaおよびαbで実際には位置決めされ得る。これらの平面は、平行で互いに離れていてもよく、または、互いに交差していてもよい。架け渡す機械的に付勢された封止配置307は、適切に成形され、それによって、説明されているように、両方の細長い縁領域をPVパネル305aおよび305bにそれぞれ位置付けたままにする。
【０１４８】
明らかなことには、例えば、対処されるビルディング建築表面要素300aおよび300b、ならびに機械的に付勢された封止配置307によって実現されるようなビルディング建築299が、鉛直方向に対して傾斜される場合、第1の拡張縁部309aは、より上の方の高さに位置するPVパネル305aにおいて実現される。それによって、PVパネル305aの表面Soにある水は、図1による実施形態の断熱板15に向かって、および、このような表面要素の下のビルディングに向かってのように、ビルディング建築表面要素300aの残りの部分に向かって浸透するのが防止される。同様に、機械的に付勢された封止配置307に受け入れられた水は、より下の方の高さに位置するビルディング建築表面要素300bにおいて、ビルディングに向かって中へと浸透するのが妨げられ、そこでは、対処されるビルディング建築表面要素300bが取り付けられている。
【０１４９】
図18は、図17によるビルディング建築を斜視図でなおも概略的に示している。4つのビルディング建築表面要素は、間隙の交差を定めている。PVパネル305a1および305b1は間隙3021によって分離されており、間隙3021は、図16を活用して説明されたような機械的に付勢された封止配置または部材3071によって架け渡されている。
【０１５０】
同等に、PVパネル305a2および305b2は間隙3022によって分離されており、間隙3022は、機械的に付勢された封止配置3072によって架け渡されている。2つの互いに並べられた間隙3021および3022は、図16のこのような範囲と等しく、y方向に延ばされているとして示されている。
【０１５１】
図18に示されているような少なくとも4つのビルディング建築表面要素では、一方におけるPVパネル305a1および305a2ならびに他方におけるPVパネル305b1および305b2は、それぞれ互いから間隙303および304によって分離されており、間隙303および304は、互いに並べられ、x方向において延びている。
【０１５２】
機械的に付勢された封止配置3071および3072は、y方向に無限の範囲などのものでなく、互いに結合されなければならない。これは領域306において行われ、そこで並べられた間隙3021/3022および303/304は交差する。この交差領域306は、ビルディング建築表面要素の残りの部材に向かって、そして最終的にビルディングに向かって浸透する水に対して重大である可能性があり、そこで、ビルディング建築表面要素のパターンを持つビルディング建築が適用される。この目的のために、また追加的に、x方向に延びる間隙303および304を架け渡すために、間隙303および304のすべてに沿いつつ領域306を架け渡す水回収通路配置310が設けられる。部材3071および3072の結合領域を通じて浸透するあらゆる水が、対処される水回収通路配置310で回収される。
【０１５３】
図18に示されているように、瓦状に重なるPVパネルおよび機械的に付勢された封止配置の方策は、全体のビルディング建築が図18において対処されているような鉛直方向vに対して角度βだけ傾斜される。したがって、y方向は、PVパネル305a1および305a2がPVパネル305b1および305b2に対して上りに位置決めされるように、実質的に水平にされる。
【０１５４】
x方向に延びる間隙を架け渡す水回収通路配置310は、水が間隙303および304を通ってビルディングに向かって浸透するのを防止もする。図18に概略的に示されているように、領域306を横切って連続的に伸びる水回収通路配置310は、フック状の部材によって、それぞれのビルディング建築表面要素340に取り付けられて吊り下げられ得る。明確にするために、図16はPVパネルに引っ掛けられた水回収通路配置310を示しているが、例えば、図1の実施形態で断熱板15などの水によって接触されることのない、PVパネルの下方または下にあるがビルディング建築表面要素の要素または部材の上方にあるビルディング建築表面要素の部材へと、通路配置310のこのような引っ掛ける吊り下げを提供することが、好ましいとされる。配置310は、図1に示された実施形態の取付板3に引っ掛けられ得る。
【０１５５】
ここで対処される架け渡しの原則を概略的な図面を活用して主に説明してきたが、図19および図20は、一方で、図18の符号307における機械的に付勢された封止配置の断面を、他方で、図18の符号310における機械的に付勢された封止配置の断面を、それぞれ示している。
【０１５６】
図19によれば、図18などの機械的に付勢された封止配置307は、好ましくはアルミニウムなどの金属の架橋板315を備えている。拡張板315は、図16および図18の状況で説明されたような第1の端部309aならびに第2の端部309bを有している。拡張縁部309bはPVパネル305bの表面Soに沿って延びており、一方、拡張縁部309aはPVパネル305aの背面Suに沿って延びている。板307は、第2の拡張縁部309bに沿い、PVパネル305bにその背側Suにおいて沿って接触するゴム弾性部材317を担持している。したがって、PVパネル305bの縁は、板317の縁部に取り付けられた引っ掻き防止部材319と弾性部材317との間で押し潰される。この押し潰しまたは付勢は、必要であれば、付勢ネジ321を用いて調節されてもよく、および/または、板315の拡張縁部309bのバネのような弾力性によって最適化されてもよい。調節が必要でない場合、付勢ネジ321の代わりに、リベットが設けられてもよい。
【０１５７】
板315の第1の拡張縁部309aは、弾性部材323を担持している。付勢または固定する板325は、PVパネル305aの表面Soの平面EAに実質的に垂直である軸Aの周りに枢動可能に、板315に枢動可能に取り付けられる。付勢または固定する板325を図19に示されているような位置に枢動可能に持っていくことで、PVパネル305aの縁は、一方で、機械的に付勢された封止配置307全体を固定するために、他方で、水封止を提供するために、弾性部材323に向かって押し潰しまたは付勢される。
【０１５８】
付勢ネジ327を用いることで、PVパネル305aの背側に向かう弾性部材323の押し潰す力が、必要な場合、調節され得る。
【０１５９】
2つ以上の付勢または支持する部材325が、板315のyの範囲に沿って設けられることに留意されたい。
【０１６０】
図20では、概略的な図18を活用して説明されたような水回収通路配置310を貫く断面が示されている。x方向に延びる通路輪郭330が、通路輪郭330の延在にすべて沿って延びる被覆板332に取り付けられている。通路輪郭330は、ネジ334によって被覆板332に吊り下げられ、ネジ334のうちのいくつかは、通路輪郭330ならびに被覆板332の延在のx方向に沿って分配されている。通路輪郭330は肩部335を備え、その肩部335には、通路輪郭330および被覆板332のxの延在にすべて沿って延びる弾性封止部材が圧し掛かっている。図18のそれぞれのPVパネル305a1および305a2は、弾性シムなどのそれぞれの延在された弾性封止部材337と、引っ掻き防止部材339が延在された縁に沿って設けられている被覆板332の背側との間で付勢または押し潰されている。したがって、図20による実施形態は、図18の状況で対処されたような通路輪郭330のための引っ掛けの吊り下げをまったく有していないが、通路輪郭330の持つ水回収通路配置310は、PVパネルのそれぞれの縁を、通路輪郭330を持つ水回収通路構成に沿って設けられた弾性封止部材337に向かって弾性封止部材337に押し潰す被覆板332に吊り下げられている。
【０１６１】
被覆板332は、図18を考えると、間隙303および304にすべて沿って延びると考えられ、それぞれの部材3071、3072の上方の領域306を架け渡すことに留意する必要がある。
【０１６２】
図17では、図18などの水回収通路配置を貫く断面が示されており、そこでは、このような配置が、フック340を用いて、PVパネル305a1、305a2を持つそれぞれのビルディング建築表面要素の部材または板に取り付けられており、このような部材は、図17では参照番号3cによって示されており、図1を考えると、このような追加の部材は、図1の実施形態の取付板3によって実現され得る。図17に点線で示されている被覆板332aは、この種類の取り付けでは、被覆板332aの上方側と水回収通路配置310の底部との間で、それぞれのネジ334aを用いて取り付けられ得る。また、この可能性は図17に点線で示されている。
【０１６３】
被覆板332、332aおよび通路輪郭330のうちの少なくとも1つが、このような配置310または板のすべてに沿って延びる金属部品を備え、機械的に付勢された封止配置307が同じく、このような配置の延在にすべて沿って延びる少なくとも1つの金属部品を備える場合、優れた実施形態では、すべてのこのような金属の部材または部品は、ビルディング建築に沿い、したがって、このようなビルディング建築が提供されるビルディングに沿う導電体の連続した格子またはパターンを形成するために、互いに電気的に接続される。それによって、このような格子は、ビルディング全体に向けた避雷システムの一部として利用され得る。
【符号の説明】
【０１６４】
1  PVパネル、太陽パネル
3  取付板
3c  ビルディング建築表面要素の部材
3l  長さ方向の縁
3w  幅方向の縁
7  通気隙間
9  スペーサ
9a、9b  スペーサスタッド
9c、9d  スペーサ棒材
9e、9f、9g、9h  スペーサ
9i、9k  スペーサスタッド
9l  骨組棒材
10、10a、10b  ビルディング建築表面要素
15  断熱板
17  さらなる取付板
19  つなぎ棒材
21  膜の帯片、膜の条片
30  ビルディング建築
32  間隙
36  接着
40  断熱象嵌
50  細長い架橋板
51  機械的に付勢された封止配置
52  細長い封止部材
54  付勢部材
56  引っ張り棒材
60  交差中心領域
62  交差中心封止配置
64  交差中心カバー板
200  表面
202  開口
204  境界部
205  基礎
206  突出部
207  ビルディング建築要素
208  第1のビルディング建築表面要素
210、212、214  領域
216  第2のビルディング建築表面要素
218  層の配置、断熱板
220  固定部材、取付部材
222  底脚
224  基礎脚
226  ネジ
228  孔
230  上方脚
232  ネジ
234  スペーサ
235  スペーサ
236  防水性の膜または箔
237  支持板
238  切り欠き
240  PVモジュール偽物板、第2のビルディング建築表面要素
300a、300b  ビルディング建築表面要素
302、3021、3022、303、304  間隙
305a、305b  光起電性太陽PVパネル
305a、305a1、305a2、305b、305b1、305b2  PVパネル
306  交差領域
307  機械的に付勢された封止配置
3071  機械的に付勢された封止配置または部材
3072  機械的に付勢された封止配置
309a  第1の拡張縁部、第1の端部
309b  第2の拡張縁部、第2の端部
310  水回収通路配置
315  架橋板
317  ゴム弾性部材
319  引っ掻き防止部材
321  付勢ネジ
323  弾性部材
325  付勢または固定する板、付勢または支持する部材
327  付勢ネジ
330  通路輪郭
332  被覆板
332a  被覆板
334、334a  ネジ
340  ビルディング建築表面要素
A  軸
Ea、Eb  平面
S  周囲
Sm  取付面
So  太陽光に曝される表面
Sr  後側
SU、Su  背面
αa、αb  角度
【図１】
2016537530.tif 000003
【図２】
2016537530.tif 000004
【図３】
2016537530.tif 000005
【図４】
2016537530.tif 000006
【図５】
2016537530.tif 000007
【図６】
2016537530.tif 000008
【図７】
2016537530.tif 000009
【図８】
2016537530.tif 000010
【図９】
2016537530.tif 000011
【図１０（ａ）】
2016537530.tif 000012
【図１０（ｂ）】
2016537530.tif 000013
【図１０（ｃ）】
2016537530.tif 000014
【図１０（ｄ）】
2016537530.tif 000015
【図１０（ｅ）】
2016537530.tif 000016
【図１０（ｆ）】
2016537530.tif 000017
【図１１】
2016537530.tif 000018
【図１２】
2016537530.tif 000019
【図１３】
2016537530.tif 000020
【図１４】
2016537530.tif 000021
【図１５】
2016537530.tif 000022
【図１６】
2016537530.tif 000023
【図１７】
2016537530.tif 000024
【図１８】
2016537530.tif 000025
【図１９】
2016537530.tif 000026
【図２０】
2016537530.tif 000027
【国際調査報告】
2016537530.tif 000028
2016537530.tif 000029
2016537530.tif 000030